(57)【要約】電力割当てを用いた多重化／多元接続が行われる場合に所望信号の復号精度をより向上させることが可能な装置、方法及びプログラムを提案する。電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、を備える装置。
2016181718.tif 000002
【特許請求の範囲】
【請求項１】
電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、を備える装置。
【請求項２】
前記電力割当てに関する情報は、対象の電力レイヤのインデックスを含む、請求項１に記載の装置。
【請求項３】
前記電力割当てに関する情報は、前記複数の電力レイヤの各々に割当てられる電力のパターンを示す情報を含む、請求項２に記載の装置。
【請求項４】
前記電力割当てに関する情報は、対象の電力レイヤに割当てられる電力の値を示す情報を含む、請求項１に記載の装置。
【請求項５】
前記電力割当てに関する情報は、対象のユーザのＣＱＩ（Channel  Quality  Indicator）を含む、請求項１に記載の装置。
【請求項６】
前記送信処理部は、前記送信信号系列の送受信に関する制御情報に対応するスクランブルパターンを用いたスクランブラ、又はインタリーブパターンを用いたインタリーバの少なくともいずれかを適用する、請求項１に記載の装置。
【請求項７】
前記送受信に関する制御情報は、前記送信信号系列の再送回数を示す情報を含む、請求項６に記載の装置。
【請求項８】
前記送受信に関する制御情報は、トランスミッションモード（Transmission  Mode）を示す情報を含む、請求項６に記載の装置。
【請求項９】
前記送受信に関する制御情報は、ＤＣＩ（downlink  control  information）フォーマットを示す情報を含む、請求項６に記載の装置。
【請求項１０】
前記送受信に関する制御情報は、ＭＣＳ（modulation  and  coding  scheme）を示す情報を含む、請求項６に記載の装置。
【請求項１１】
電力割当てを用いて多重化される前記複数の電力レイヤの前記送信信号系列は、前記送受信に関する制御情報が同一のユーザへの送信信号系列である、請求項６に記載の装置。
【請求項１２】
前記送信処理部は、空間割当てを用いて多重化される複数の空間レイヤごとに、割当てられた空間レイヤにおいて電力割当てを用いて多重化される複数の電力レイヤの前記送信信号系列の各々を対象とする、請求項１に記載の装置。
【請求項１３】
前記装置は、前記複数の電力レイヤの前記送信信号系列の宛先のユーザへ前記電力割当てに関する情報を通知する通知部をさらに備える、請求項１に記載の装置。
【請求項１４】
前記通知部は、前記電力割当てに関する情報として、通知先のユーザへの前記送信信号系列の電力レイヤのインデックスを通知する、請求項１３に記載の装置。
【請求項１５】
前記通知部は、前記電力割当てに関する情報として、前記複数の電力レイヤの総数を通知する、請求項１４に記載の装置。
【請求項１６】
前記通知部は、前記電力割当てに関する情報として、電力レイヤのインデックスの増減方向と割り当てられる電力の増減方向との関係を示す情報を通知する、請求項１４に記載の装置。
【請求項１７】
前記通知部は、前記電力割当てに関する情報として、割当てられる電力の増減方向の起点となるインデックスを通知する、請求項１４に記載の装置。
【請求項１８】
前記通知部は、前記電力割当てに関する情報として、前記複数の電力レイヤの各々に割当てられる電力のパターンを示す情報を通知する、請求項１４に記載の装置。
【請求項１９】
前記通知部は、前記電力割当てに関する情報として、前記複数の電力レイヤの各々に割当てられる電力の値を示す情報を通知する、請求項１３に記載の装置。
【請求項２０】
前記通知部は、前記電力割当てに関する情報として、前記複数の電力レイヤの前記送信信号系列の宛先の１以上の他のユーザのＣＱＩを通知する、請求項１３に記載の装置。
【請求項２１】
前記通知部は、前記複数の電力レイヤの前記送信信号系列の各々の送受信に関する制御情報を通知する、請求項１３に記載の装置。
【請求項２２】
電力割当てを用いて多重化される複数の電力レイヤの電力割当てに関する情報を取得する取得部と、  前記取得部により取得された前記電力割当てに関する情報に対応するスクランブルパターンを用いたデスクランブラ、又はインタリーブパターンを用いたデインタリーバの少なくともいずれかを用いて干渉除去を行う受信処理部と、を備える装置。
【請求項２３】
電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかをプロセッサにより適用すること、を含む方法。
【請求項２４】
電力割当てを用いて多重化される複数の電力レイヤの電力割当てに関する情報を取得することと、  取得された前記電力割当てに関する情報に対応するスクランブルパターンを用いたデスクランブラ、又はインタリーブパターンを用いたデインタリーバの少なくともいずれかを用いてプロセッサにより干渉除去を行うことと、を含む方法。
【請求項２５】
コンピュータを、  電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、として機能させるためのプログラム。
【請求項２６】
コンピュータを、  電力割当てを用いて多重化される複数の電力レイヤの電力割当てに関する情報を取得する取得部と、  前記取得部により取得された前記電力割当てに関する情報に対応するスクランブルパターンを用いたデスクランブラ、又はインタリーブパターンを用いたデインタリーバの少なくともいずれかを用いて干渉除去を行う受信処理部と、として機能させるためのプログラム。
【発明の詳細な説明】
【技術分野】
【０００１】  本開示は、装置、方法及びプログラムに関する。
【背景技術】
【０００２】  ＬＴＥ（Long  Term  Evolution）／ＬＴＥ−Ａ（Advanced）に続く第５世代（５Ｇ）移動体通信システムの無線アクセス技術（Radio  Access  Technology：ＲＡＴ）として、非直交多元接続（Non-Orthogonal  Multiple  Access）が注目されている。ＬＴＥにおいて採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。これらの方式は、直交多元接続と呼ばれ得る。一方、非直交多元接続では、無線リソースは、重複してユーザに割り当てられる。非直交多元接続では、ユーザの信号が互いに干渉するが、受信側における高精度な復号処理によりユーザごとの信号が取り出される。非直交多元接続は、理論的には、直交多元接続よりも高いセル通信容量を実現することが可能である。【０００３】  非直交多元接続に分類される無線アクセス技術の１つとして、ＳＰＣ（Superposition  Coding）多重化／多元接続が挙げられる。ＳＰＣは、異なる電力が割り当てられた信号を少なくとも一部が重複する周波数及び時間の無線リソース上で多重化する方式である。受信側では、同一の無線リソース上で多重化された信号の受信／復号のために、干渉除去（Interference  Cancellation）及び／又は繰返し検出などが行われる。【０００４】  例えば、特許文献１及び２には、ＳＰＣ又はＳＰＣに準ずる技術として、適切な復調／復号を可能にする振幅（又は電力）の設定の手法が開示されている。また、例えば、特許文献３には、多重化された信号を受信するためのＳＩＣ（Successive  Interference  Cancellation）の高度化の手法が開示されている。
【先行技術文献】
【特許文献】
【０００５】
【特許文献１】特開２００３−７８４１９号公報
【特許文献２】特開２００３−２２９８３５号公報
【特許文献３】特開２０１３−２４７５１３号公報
【発明の概要】
【発明が解決しようとする課題】
【０００６】  ＳＰＣを用いた信号処理技術においては、多重化された複数の電力レイヤの信号（干渉信号及び所望信号）の復号精度の向上が求められている。そこで、本開示では、電力割当てを用いた多重化／多元接続が行われる場合に所望信号の復号精度をより向上させることが可能な、新規かつ改良された装置、方法及びプログラムを提案する。
【課題を解決するための手段】
【０００７】  本開示によれば、電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、を備える装置が提供される。【０００８】  また、本開示によれば、電力割当てを用いて多重化される複数の電力レイヤの電力割当てに関する情報を取得する取得部と、前記取得部により取得された前記電力割当てに関する情報に対応するスクランブルパターンを用いたデスクランブラ、又はインタリーブパターンを用いたデインタリーバの少なくともいずれかを用いて干渉除去を行う受信処理部と、を備える装置が提供される。【０００９】  また、本開示によれば、電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかをプロセッサにより適用すること、を含む方法が提供される。【００１０】  また、本開示によれば、電力割当てを用いて多重化される複数の電力レイヤの電力割当てに関する情報を取得することと、取得された前記電力割当てに関する情報に対応するスクランブルパターンを用いたデスクランブラ、又はインタリーブパターンを用いたデインタリーバの少なくともいずれかを用いてプロセッサにより干渉除去を行うことと、を含む方法が提供される。【００１１】  また、本開示によれば、コンピュータを、電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、として機能させるためのプログラムが提供される。【００１２】  また、本開示によれば、コンピュータを、電力割当てを用いて多重化される複数の電力レイヤの電力割当てに関する情報を取得する取得部と、前記取得部により取得された前記電力割当てに関する情報に対応するスクランブルパターンを用いたデスクランブラ、又はインタリーブパターンを用いたデインタリーバの少なくともいずれかを用いて干渉除去を行う受信処理部と、として機能させるためのプログラムが提供される。
【発明の効果】
【００１３】  以上説明したように本開示によれば、電力割当てを用いた多重化／多元接続が行われる場合に所望信号の復号精度をより向上させることが可能である。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】ＳＰＣをサポートする送信装置における処理の一例を説明するための説明図である。
【図２】ＳＰＣをサポートする送信装置における処理の一例を説明するための説明図である。
【図３】干渉除去を行う受信装置における処理の一例を説明するための説明図である。
【図４】本開示の実施形態に係るシステムの概略的な構成の一例を示す説明図である。
【図５】本開示の実施形態に係る基地局の構成の一例を示すブロック図である。
【図６】本開示の実施形態に係る端末装置の構成の一例を示すブロック図である。
【図７】電力レイヤへの電力割当ての一例を説明するための説明図である。
【図８】第１の実施形態に係る基地局の送信処理の概略的な流れの一例を示すフローチャートである。
【図９】第１の実施形態に係る端末装置の受信処理の概略的な流れの一例を示すフローチャートである。
【図１０】非ＳＰＣ用の復号処理の概略的な流れの一例を示すフローチャートである。
【図１１】ＳＰＣ用の復号処理の概略的な流れの第１の例を示すフローチャートである。
【図１２】対象レイヤについての非ＳＰＣ用の復号処理の概略的な流れの一例を示すフローチャートである。
【図１３】対象レイヤについての干渉信号レプリカ生成処理の概略的な流れの一例を示すフローチャートである。
【図１４】ＳＰＣ用の復号処理の概略的な流れの第２の例を示すフローチャートである。
【図１５】並列復号処理の概略的な流れの一例を示すフローチャートである。
【図１６】干渉信号レプリカ生成処理の概略的な流れの一例を示すフローチャートである。
【図１７】ＭＢＭＳの概要を説明するための説明図である。
【図１８】ＭＢＳＦＮエリアを説明するための説明図である。
【図１９】ＭＢＭＳにおける電力レイヤへの電力割当ての一例を説明するための説明図である。
【図２０】ｅＮＢの概略的な構成の第１の例を示すブロック図である。
【図２１】ｅＮＢの概略的な構成の第２の例を示すブロック図である。
【図２２】スマートフォンの概略的な構成の一例を示すブロック図である。
【図２３】カーナビゲーション装置の概略的な構成の一例を示すブロック図である。
【発明を実施するための形態】
【００１５】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】  また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１７】  なお、説明は以下の順序で行うものとする。    １．ＳＰＣ    ２．技術的課題    ３．システムの概略的な構成    ４．各装置の構成      ４．１．基地局の構成      ４．２．端末装置の構成    ５．第１の実施形態      ５．１．技術的特徴      ５．２．処理の流れ    ６．第２の実施形態      ６．１．ＭＢＭＳ      ６．２．技術的特徴    ７．変形例    ８．応用例    ９．まとめ
【００１８】  ＜＜１．ＳＰＣ＞＞  図１〜図３を参照して、ＳＰＣの処理及び信号を説明する。
【００１９】  （１）各装置における処理  （ａ）送信装置における処理  図１及び図２は、ＳＰＣをサポートする送信装置における処理の一例を説明するための説明図である。図１を参照すると、例えば、ユーザＡ、ユーザＢ及びユーザＣの各々のビットストリーム（例えば、トランスポートブロック）が処理される。これらのビットストリームの各々について、いくつかの処理（例えば、図２に示されるような）ＣＲＣ（Cyclic  Redundancy  Check）符号化、ＦＥＣ（Forward  Error  Correction）符号化、レートマッチング及びスクランブリング／インタリービング）が行われ、その後変調が行われる。そして、レイヤマッピング、電力割当て、プリコーディング、ＳＰＣ多重、リソースエレメントマッピング、ＩＤＦＴ（Inverse  Discrete  Fourier  Transform）／ＩＦＦＴ（Inverse  Fast  Fourier  Transform）、ＣＰ（Cyclic  Prefix）挿入、並びに、デジタルからアナログ及びＲＦ（Radio  Frequency）への変換などが行われる。
【００２０】  とりわけ、電力割当てにおいて、ユーザＡ、ユーザＢ及びユーザＣの各々の信号に電力が割り当てられ、ＳＰＣ多重化において、ユーザＡ、ユーザＢ及びユーザＣの信号が多重化される。
【００２１】  （ｂ）受信装置における処理  図３は、干渉除去を行う受信装置における処理の一例を説明するための説明図である。図３を参照すると、例えば、ＲＦ及びアナログからデジタルへの変換、ＣＰ除去（removal）、ＤＦＴ（Discrete  Fourier  Transform）／ＦＦＴ（Fast  Fourier  Transform）、並びに、ジョイント干渉除去、等化及び復号などが行われる。その結果、ユーザＡ、ユーザＢ及びユーザＣの各々のビットストリーム（例えば、トランスポートブロック）が得られる。
【００２２】  （２）送信信号及び受信信号  （ａ）ダウンリンク  次に、ＳＰＣが採用される場合のダウンリンクの送信信号及び受信信号を説明する。ここでは、ＨｅｔＮｅｔ（Heterogeneous  Network）又はＳＣＥ（Small  Cell  Enhancement）などのマルチセルシステムを想定する。
【００２３】  対象のユーザｕが接続するセルのインデックスをｉで表し、当該セルに対応する基地局の送信アンテナの数をＮＴＸ，ｉで表す。当該送信アンテナの各々は、送信アンテナポートとも呼ばれ得る。セルｉからユーザｕへの送信信号は、以下のようにベクトル形式で表されることが可能である。
【００２４】
【数１】
2016181718.tif 000003
【００２５】
【数２】
2016181718.tif 000004
【００２６】
【数３】
2016181718.tif 000005
【００２７】
【数４】
2016181718.tif 000006
【００２８】  上述した式において、ＮＳＳ，ｕは、ユーザｕについての空間送信ストリーム数である。基本的には、ＮＳＳ，ｕは、ＮＴＸ，ｉ以下の正の整数である。ベクトルｘｉ，ｕは、ユーザｕへの空間ストリーム信号である。このベクトルの各要素は、基本的には、ＰＳＫ（Phase  Shift  Keying）又はＱＡＭ（Quadrature  Amplitude  Modulation）などのデジタル変調シンボルに相当する。行列Ｗｉ，ｕは、ユーザｕについてのプリコーディング行列（Precoding  Matrix）である。この行列内の要素は、基本的には複素数であるが、実数であってもよい。
【００２９】  行列Ｐｉ，ｕは、セルｉにおけるユーザｕのための電力割当て係数行列である。この行列では、各要素が正の実数であることが望ましい。なお、この行列は、以下のような対角行列（即ち、対角成分以外が０である行列）であってもよい。
【００３０】
【数５】
2016181718.tif 000007
【００３１】  空間ストリームについて適応的な電力割当てが行われない場合には、行列Ｐｉ，ｕの代わりに、スカラ値Ｐｉ，ｕが用いられてもよい。
【００３２】  セルｉには、ユーザｕのみではなく他のユーザｖも存在し、他のユーザｖの信号ｓｉ，ｖも、同一の無線リソースで送信される。これらの信号は、ＳＰＣを用いて多重化される。多重化後のセルｉからの信号ｓｉは、以下のように表される。
【００３３】
【数６】
2016181718.tif 000008
【００３４】  上述した式において、Ｕｉは、セルｉにおいて多重化されるユーザの集合である。ユーザｕのサービングセル以外のセルｊ（ユーザｕにとっての干渉源となるセル）でも、同様に送信信号ｓｊが生成される。ユーザ側では、このような信号が干渉として受信される。ユーザｕの受信信号ｒｕは、以下のように表されることが可能である。
【００３５】
【数７】
2016181718.tif 000009
【００３６】
【数８】
2016181718.tif 000010
【００３７】
【数９】
2016181718.tif 000011
【００３８】  上述した式において、行列Ｈｕ，ｉは、セルｉ及びユーザｕについてのチャネル応答行列である。行列Ｈｕ，ｉの各要素は、基本的には複素数である。ベクトルｎｕは、ユーザｕの受信信号ｒｕに含まれる雑音である。例えば、当該雑音は、熱雑音、及び他のシステムからの干渉などを含む。雑音の平均電力は、以下のように表される。
【００３９】
【数１０】
2016181718.tif 000012
【００４０】  受信信号ｒｕは、以下のように、所望信号と他の信号とにより表されることも可能である。
【００４１】
【数１１】
2016181718.tif 000013
【００４２】  上述した式において、右辺の第１項は、ユーザｕの所望信号、第２項は、ユーザｕのサービングセルｉ内の干渉（セル内干渉（intra-cell  interference）、又は、マルチユーザ干渉若しくはマルチアクセス干渉などと呼ばれる）、第３項は、セルｉ以外のセルからの干渉（セル間干渉（inter-cell  interference）と呼ばれる）である。
【００４３】  なお、直交多元接続（例えば、ＯＦＤＭＡ又はＳＣ−ＦＤＭＡ）などが採用される場合には、受信信号は、以下のように表されることが可能である。
【００４４】
【数１２】
2016181718.tif 000014
【００４５】  直交多元接続では、セル内干渉がなく、また、他のセルｊにおいても他のユーザｖの信号が同一の無線リソースにおいて多重化されない。
【００４６】  （ｂ）アップリンク  次に、ＳＰＣが採用される場合のアップリンクの送信信号及び受信信号を説明する。ここでは、ＨｅｔＮｅｔ又はＳＣＥなどのマルチセルシステムを想定する。なお、信号などを表す記号として、ダウンリンクについて用いられた記号を流用する。
【００４７】  セルｉにおいてユーザｕが送信する送信信号は、以下のようにベクトル形式で表されることが可能である。
【００４８】
【数１３】
2016181718.tif 000015
【００４９】
【数１４】
2016181718.tif 000016
【００５０】
【数１５】
2016181718.tif 000017
【００５１】
【数１６】
2016181718.tif 000018
【００５２】  上述した式において、送信アンテナ数は、ユーザの送信アンテナの数ＮＴＸ，ｕである。セルｉにおけるユーザｕのための電力割当て係数行列である行列Ｐｉ，ｕは、ダウンリンクのケースと同様に、対角行列であってもよい。
【００５３】  アップリンクでは、ユーザ内で、当該ユーザの信号と他のユーザの信号とを多重化することはないので、セルｉの基地局の受信信号は、以下のように表されることが可能である。
【００５４】
【数１７】
2016181718.tif 000019
【００５５】
【数１８】
2016181718.tif 000020
【００５６】
【数１９】
2016181718.tif 000021
【００５７】  ダウンリンクのケースとは異なり、アップリンクのケースでは、基地局は、セル内の複数のユーザからの信号を全て復号することが必要であるという点に留意すべきである。さらに、チャネル応答行列がユーザによって異なるという点も留意が必要である。
【００５８】  とりわけ、セルｉ内のアップリンク信号の中でも、ユーザｕにより送信される信号に着目すると、受信信号は、以下のように表されることが可能である。
【００５９】
【数２０】
2016181718.tif 000022
【００６０】  上述した式において、右辺の第１項は、ユーザｕの所望信号、第２項は、ユーザｕのサービングセルｉ内の干渉（セル内干渉、又は、マルチユーザ干渉若しくはマルチアクセス干渉などと呼ばれる）、第３項は、セルｉ以外のセルからの干渉（セル間干渉と呼ばれる）である。
【００６１】  なお、直交多元接続（例えば、ＯＦＤＭＡ又はＳＣ−ＦＤＭＡ）などが採用される場合には、受信信号は、以下のように表されることが可能である。
【００６２】
【数２１】
2016181718.tif 000023
【００６３】  直交多元接続では、セル内干渉がなく、また、他のセルｊにおいても他のユーザｖの信号が同一の無線リソースにおいて多重化されない。
【００６４】  ＜＜２．技術的課題＞＞  続いて、本開示の一実施形態に係る技術的課題を説明する。
【００６５】  ＳＰＣを用いて多重化された複数の電力レイヤの信号から所望信号を適切に復号するための技術の一例として、ＳＩＣがある。ＳＩＣにおいては、ユーザは、多重化された他ユーザの信号を復号し、復号した信号をレプリカ信号として干渉除去に使用する。
【００６６】  ＳＩＣの実装の一例として、他ユーザの信号をＴｒａｎｓｐｏｒｔ  Ｂｌｏｃｋレベルまで復号するＣＷ−ＩＣ（CodeWord  Interference  Canceller）が知られている。しかし、ＣＷ−ＩＣでは、ユーザが干渉信号（即ち、他のユーザの信号）のレプリカを生成するためには、干渉信号に使用されたスクランブルパターン及び／又はインタリーブパターンが既知であることが望ましい。
【００６７】  ここで、「3GPP  TS  36.211："Evolved  Universal  Terrestrial  Radio  Access  （E-UTRA）；Physical  channels  and  modulation".」に開示された３ＧＰＰの仕様では、以下に示すように、スクランブルパターンの生成にＲＮＴＩ（Radio  Network  Temporary  ID）が用いられている。まず、ビット系列（即ち、送信信号系列）のスクランブリングを次式で表現する。
【００６８】
【数２２】
2016181718.tif 000024
【００６９】  ただし、ｉはビットインデックスを示し、ｑはコードワードインデックスを示し、ｂ（ｑ）（ｉ）はスクランブル前のビット系列を示し、ｃ（ｑ）（ｉ）はスクランブルパターンを示す。スクランブルパターンｃ（ｑ）（ｉ）は、次式で算出される初期値ｃｉｎｉｔを用いて一意に決定される。
【００７０】
【数２３】
2016181718.tif 000025
【００７１】  ただし、ｎＲＮＴＩはＲＮＴＩを示し、ｑはコードワードインデックスを示し、ｎｓはスロットインデックスを示し、ＮｃｅｌｌＩＤはセルＩＤを示す。
【００７２】  上記の通り、スクランブルパターンの生成には、ＲＮＴＩ、コードワードインデックス、スロットインデックス及びセルＩＤが使用される。よって、ユーザが干渉信号に使用されたスクランブルパターンを知得するためには、当該スクランブルパターンの生成のために用いられたこれらの情報を知得可能であることが望ましい。
【００７３】  そのうち、コードワードインデックス及びスロットインデックスは、複数のユーザの信号について同一のものが使用される場合、ユーザにとって知得することが容易な情報である。ユーザは、自身に使用されたものと同一のコードワードインデックス及びスロットインデックスが、他のユーザの信号にも使用されたと推定できるためである。ただし、複数のユーザ間で異なるコードワードインデックス又はスロットインデックスが使用される場合、他のユーザの信号に使用されたコードワードインデックス又はスロットインデックスを別途通知するための仕組みが要される。
【００７４】  また、ＳＰＣにおいては同一セルに属するユーザの信号を多重化されるために、セルＩＤは多重化される全ユーザで同じ値となる。即ち、ユーザにとって、他のユーザのセルＩＤは知得することが容易な情報である。
【００７５】  しかし、ＲＮＴＩは、全ユーザで異なる値となり、且つ、あるユーザのＲＮＴＩを他のユーザに通知するための手段は用意されていない。即ち、ユーザにとって、他のユーザのＲＮＴＩは知得することが困難な情報である。他のユーザのＲＮＴＩをユーザに知得させるために、例えばＤＣＩ（Downlink  Control  Information）等の制御情報を新たに追加することが考えられる。しかし、新たに制御情報が追加されると、無線リソース（例えば、周波数及び時間）の消費量を増加させ、且つ、追加された分だけシグナリングオーバヘッドが発生してしまい得る。よって、制御情報を追加しないように又は追加量を抑制するために、ＲＮＴＩに代わる他のパラメータが用いられることが望ましいと言える。
【００７６】  他方、多重化される全てのユーザで、同一のスクランブルパターンが使用される、又はスクランブラがそもそも使用されないことも考えられる。しかしながら、ＳＰＣを用いて多重化される信号がスクランブルされていない場合、干渉信号の影響が分散されずにＢＬＥＲ特性が悪化するケースがあることが知られている。このことから、多重化される全ユーザ、又は少なくとも一部のユーザの信号がスクランブルされることが望ましい。
【００７７】  そこで、多重化される少なくとも一部のユーザの信号にスクランブル処理が適用されること、及びユーザが他のユーザの信号に用いられたスクランブルパターンを知得することが容易な仕組みが提供されることが望ましい。
【００７８】  上記では、スクランブルパターンに着目して説明したが、インタリーブパターンについても同様のことが言える。
【００７９】  ＜＜３．システムの概略的な構成＞＞  続いて、図４を参照して、本開示の実施形態に係るシステム１の概略的な構成を説明する。図４は、本開示の実施形態に係るシステム１の概略的な構成の一例を示す説明図である。図４を参照すると、システム１は、基地局１００及び端末装置２００を含む。ここでは、端末装置２００は、ユーザとも呼ばれる。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００８０】  （１）基地局１００  基地局１００は、セルラーシステム（又は移動体通信システム）の基地局である。基地局１００は、基地局１００のセル１０内に位置する端末装置（例えば、端末装置２００）との無線通信を行う。例えば、基地局１００は、端末装置へのダウンリンク信号を送信し、端末装置からのアップリンク信号を受信する。
【００８１】  （２）端末装置２００  端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００８２】  （３）多重化／多元接続  とりわけ本開示の一実施形態では、基地局１００は、非直交多元接続により、複数の端末装置との無線通信を行う。より具体的には、基地局１００は、電力割当てを用いた多重化／多元接続により、複数の端末装置との無線通信を行う。例えば、基地局１００は、ＳＰＣを用いた多重化／多元接続により、複数の端末装置との無線通信を行う。
【００８３】  例えば、基地局１００は、ダウンリンクにおいて、ＳＰＣを用いた多重化／多元接続により、複数の端末装置との無線通信を行う。より具体的には、例えば、基地局１００は、複数の端末装置への信号を、ＳＰＣを用いて多重化する。この場合に、例えば、端末装置２００は、所望信号（即ち、端末装置２００への信号）を含む多重化信号から、干渉として１つ以上の他の信号を除去し、上記所望信号を復号する。
【００８４】  なお、基地局１００は、ダウンリンクの代わりに、又はダウンリンクとともに、アップリンクにおいて、ＳＰＣを用いた多重化／多元接続により、複数の端末装置との無線通信を行ってもよい。この場合に、基地局１００は、当該複数の端末装置により送信される信号を含む多重化信号から、当該信号の各々を復号してもよい。
【００８５】  ＜＜４．各装置の構成＞＞  続いて、図５及び図６を参照して、本開示の実施形態に係る基地局１００及び端末装置２００の構成を説明する。
【００８６】  ＜４．１．基地局の構成＞  まず、図５を参照して、本開示の実施形態に係る基地局１００の構成の一例を説明する。図５は、本開示の実施形態に係る基地局１００の構成の一例を示すブロック図である。図５を参照すると、基地局１００は、アンテナ部１１０、無線通信部１２０、ネットワーク通信部１３０、記憶部１４０及び処理部１５０を備える。
【００８７】  （１）アンテナ部１１０  アンテナ部１１０は、無線通信部１２０により出力される信号を電波として空間に放射する。また、アンテナ部１１０は、空間の電波を信号に変換し、当該信号を無線通信部１２０へ出力する。
【００８８】  （２）無線通信部１２０  無線通信部１２０は、信号を送受信する。例えば、無線通信部１２０は、端末装置へのダウンリンク信号を送信し、端末装置からのアップリンク信号を受信する。
【００８９】  （３）ネットワーク通信部１３０  ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００９０】  （４）記憶部１４０  記憶部１４０は、基地局１００の動作のためのプログラム及び様々なデータを一時的に又は恒久的に記憶する。
【００９１】  （５）処理部１５０  処理部１５０は、基地局１００の様々な機能を提供する。処理部１５０は、送信処理部１５１及び通知部１５３含む。なお、処理部１５０は、これらの構成要素以外の他の構成要素をさらに含み得る。即ち、処理部１５０は、これらの構成要素の動作以外の動作も行い得る。
【００９２】  送信処理部１５１及び通知部１５３の動作は、後に詳細に説明する。
【００９３】  ＜４．２．端末装置の構成＞  まず、図６を参照して、本開示の実施形態に係る端末装置２００の構成の一例を説明する。図６は、本開示の実施形態に係る端末装置２００の構成の一例を示すブロック図である。図６を参照すると、端末装置２００は、アンテナ部２１０、無線通信部２２０、記憶部２３０及び処理部２４０を備える。
【００９４】  （１）アンテナ部２１０  アンテナ部２１０は、無線通信部２２０により出力される信号を電波として空間に放射する。また、アンテナ部２１０は、空間の電波を信号に変換し、当該信号を無線通信部２２０へ出力する。
【００９５】  （２）無線通信部２２０  無線通信部２２０は、信号を送受信する。例えば、無線通信部２２０は、基地局からのダウンリンク信号を受信し、基地局へのアップリンク信号を送信する。
【００９６】  （３）記憶部２３０  記憶部２３０は、端末装置２００の動作のためのプログラム及び様々なデータを一時的に又は恒久的に記憶する。
【００９７】  （４）処理部２４０  処理部２４０は、端末装置２００の様々な機能を提供する。処理部２４０は、取得部２４１及び受信処理部２４３を含む。なお、処理部２４０は、これらの構成要素以外の他の構成要素をさらに含み得る。即ち、処理部２４０は、これらの構成要素の動作以外の動作も行い得る。
【００９８】  取得部２４１及び受信処理部２４３の動作は、後に詳細に説明する。
【００９９】  ＜＜５．第１の実施形態＞＞  続いて、図７〜図１６を参照して、第１の実施形態を説明する。
【０１００】  ＜５．１．技術的特徴＞  （１）スクランブリング及び／又はインタリービング  基地局１００は、電力割当てを用いて多重化される複数の電力レイヤの送信信号系列をスクランブル及び／又はインタリーブする機能を有する。
【０１０１】  詳しくは、まず、基地局１００（例えば、送信処理部１５１）は、電力割当てを用いて多重化される複数の電力レイヤの送信信号系列を生成する。そして、基地局１００（例えば、送信処理部１５１）は、上記複数の電力レイヤのうちの１つ以上の電力レイヤの送信信号系列の各々を対象として、電力割当てに関する情報に対応するスクランブルパターンを用いたスクランブラ、又はインタリーブパターンを用いたインタリーバの少なくともいずれかを適用する。より具体的には、基地局１００は、対象の送信信号系列（又は電力レイヤ）の電力割当てに関する情報に対応するスクランブラ及び／又はインタリーバを使用して、当該送信信号系列をスクランブル及び／又はインタリーブする。他にも、基地局１００は、対象の送信信号系列（又は電力レイヤ）の送受信に関する制御情報に対応するスクランブラ及び／又はインタリーバを使用して、当該送信信号系列をスクランブル及び／又はインタリーブしてもよい。
【０１０２】  端末装置２００は、電力割当てを用いて多重化された複数の電力レイヤの信号から、干渉除去して所望信号を取得する機能を有する。
【０１０３】  詳しくは、まず、端末装置２００（例えば、取得部２４１）は、電力割当てを用いて多重化される複数の電力レイヤの電力割当てに関する情報を取得する。そして、端末装置２００（例えば、受信処理部２４３）は、取得された電力割当てに関する情報に対応するスクランブルパターンを用いたデスクランブラ、又はインタリーブパターンを用いたデインタリーバの少なくともいずれかを用いて干渉除去を行う。より具体的には、端末装置２００は、干渉除去対象の信号（又は電力レイヤ）の電力割当てに関する情報に対応するデスクランブラ及び／又はインタリーバを使用して、レプリカ信号を生成して干渉除去を行う。他にも、端末装置２００は、干渉除去対象の信号（又は電力レイヤ）の送受信に関する制御情報に対応するデスクランブラ及び／又はインタリーバを使用して、レプリカ信号を生成して干渉除去を行ってもよい。
【０１０４】  なお、本明細書において、「電力レイヤを多重化する」という表現は、「電力レイヤの信号を多重化する」ことと同義である。また、「電力レイヤに電力を割当てる」という表現は、「電力レイヤの信号に電力を割当てる」ことと同義である。
【０１０５】  （ａ）電力割当てを用いた多重化  例えば、上記複数の電力レイヤは、ＳＰＣを用いて多重化される電力レイヤである。
【０１０６】  基地局１００（例えば、送信処理部１５１）は、任意の基準で電力割当てを行う。上記電力割当てに関する情報とは、電力レイヤの送信信号系列に割当てられた電力に関する情報であり、例えば電力レイヤのインデックス等を含む。以下、図７を参照して、電力レイヤのインデックスと割り当てられる電力との関係について説明する。
【０１０７】  図７は、電力レイヤへの電力割当ての一例を説明するための説明図である。横軸は周波数リソース及び／又は時間リソースであり、縦軸は電力レベル（割り当てられる電力の高さ）である。図７を参照すると、ＳＰＣを用いて多重化されるＮ個の電力レイヤ（電力レイヤ０〜電力レイヤＮ−１）が示されている。この０〜Ｎ−１までの数字を、電力レイヤのインデックスとも称する。電力レイヤの高さ（即ち、縦方向の幅）が割り当てられる電力の高さを示している。図７に示した例では、インデックスが小さい電力レイヤほど割り当てられる電力が高く、例えば、電力Ｐ０はＰ１より高く、Ｐ１はＰ２より高く、ＰＮ−１は最も低い。ＳＰＣを用いて多重化される送信信号系列は、少なくともひとつの電力レイヤを用いて送信される。
【０１０８】  ただし、電力レイヤのインデックスと割り当てられる電力との関係は図７に示した例に限定されない。例えば最も高い電力が割り当てられる電力レイヤのインデックスは０以外であってもよく、また、インデックスが小さい電力レイヤほど割り当てられる電力が低くてもよい。
【０１０９】  （ｂ）送信信号系列の生成  例えば、上記送信信号系列は、符号化ビット系列（即ち、符号化されたビット系列）である。基地局１００（送信処理部１５１）は、上記複数の電力レイヤの符号化ビット系列を生成する。
【０１１０】  具体的には、例えば、基地局１００は、上記複数の電力レイヤの各々について、（例えば図２に示されるような）ＣＲＣ符号化、ＦＥＣ符号化及び／又はレートマッチングなどを行うことにより、電力レイヤの符号化ビット系列を生成する。そして、基地局１００は、符号化ビット系列にスクランブラ及び／又はインタリーバを適用して、又は適用せずにシンボル変調を行う。シンボル変調された信号は、上記ｘｉ，ｕと等価となる。
【０１１１】  （ｃ）スクランブルパターン  基地局１００（例えば、送信処理部１５１）は、多様なパラメータに基づいて送信信号系列に適用するスクランブルパターンを生成し得る。例えば、基地局１００は、下記の表１に示したパラメータの少なくともひとつを用いてスクランブルパターンを生成し得る。パラメータは、電力割当てに関する情報と送受信に関する制御情報とに分類され得る。
【０１１２】
【表１】
2016181718.tif 000026
【０１１３】  上記表１に示すように、３ＧＰＰの仕様ではＲＮＴＩがスクランブルパターンの生成に用いられていたが、本技術では、ＲＮＴＩがスクランブルパターンの生成に用いられなくてもよい。
【０１１４】  （ｃ−１）電力割当てに関する情報  基地局１００（例えば、送信処理部１５１）は、上記電力割当てに関する情報に対応するスクランブルパターンを生成してもよい。
【０１１５】    ・電力レイヤのインデックス（Power  Layer  Index）  電力割当てに関する情報は、対象の電力レイヤのインデックスを含んでいてもよい。即ち、基地局１００は、ＲＮＴＩ等に代えて、スクランブル対象の送信信号系列の電力レイヤのインデックスを用いてスクランブルパターンを生成してもよい。
【０１１６】    ・電力テーブルのインデックス（Power  Table  Index）  電力割当てに関する情報は、対象の電力レイヤに関する電力テーブルのインデックスを含んでいてもよい。即ち、基地局１００は、ＲＮＴＩ等に代えて、スクランブル対象の送信信号系列の電力レイヤに関する電力テーブルのインデックス（後述するＰＴＢＩ）を用いてスクランブルパターンを生成してもよい。電力テーブルのインデックスの一例を表２に示す。
【０１１７】
【表２】
2016181718.tif 000027
【０１１８】  上記表２に示した例では、電力テーブルのインデックスＰＴＢＩの上位２ビットが電力レイヤのインデックスを示し、下位４ビットが複数の電力レイヤの各々に割当てられる電力のパターンを示す。即ち、電力テーブルのインデックスとは、電力レイヤのインデックスと複数の電力レイヤの各々に割当てられる電力のパターンを示す情報との組み合わせから成る情報である。表中のパーセンテージは、電力割当ての割合を示しており、各パターンにおける全ての電力レイヤに割当てられる割合の総和は１００％である。例えば、パターン「００００」では、電力レイヤ「００」に８０％の電力が割り当てられ、電力レイヤ「０１」に１０％の電力が割り当てられ、電力レイヤ「１０」に７％の電力が割り当てられ、電力レイヤ「１１」に３％の電力が割り当てられる。
【０１１９】  なお、上記表２では、電力レイヤの総数を４、パターンの総数を１６とする例を示しているが、本技術はかかる例に限定されない。電力レイヤ及びパターンの総数がどのような値になるにせよ、電力テーブルはシステム１内の基地局１００及び端末装置２００で共通して既知であることが望ましい。ユーザが、電力テーブルにおける自身のインデックスＰＴＢＩを知るだけで、全ての電力レイヤに割当てられた電力を把握することが可能となるためである。
【０１２０】    ・電力割当ての割合（Power  Allocation  Rate）  電力割当てに関する情報は、対象の電力レイヤに割当てられる電力の値を示す情報を含んでいてもよい。即ち、基地局１００は、ＲＮＴＩ等に代えて、対象の電力レイヤに割当てられる電力の値（例えば、電力割当ての割合）を示す情報を用いてスクランブルパターンを生成してもよい。対象の電力レイヤに割当てられる電力の値を示す情報は、０％〜１００％までの電力割当ての割合そのものであってもよい。他にも、対象の電力レイヤに割当てられる電力の値を示す情報は、下記の表３に示すような、電力割当ての割合を示すインデックスＰＲａｔｅであってもよい。
【０１２１】
【表３】
2016181718.tif 000028
【０１２２】  なお、上記表３では、電力割当ての割合を示すインデックスＰＲａｔｅが１６個ある例を示しているが、本技術はかかる例に限定されない。インデックスの数は任意であるし、インデックスに対応する電力割当ての割合の値も任意である。
【０１２３】    ・対象のユーザのＣＱＩ（Channel  Quality  Indicator）  電力割当てに関する情報は、対象のユーザのＣＱＩを含んでいてもよい。即ち、基地局１００は、ＲＮＴＩ等に代えて、対象のユーザのＣＱＩを用いてスクランブルパターンを生成してもよい。
【０１２４】  ここで、ＣＱＩは、例えば「3GPP  TS  36.213："Evolved  Universal  Terrestrial  Radio  Access  （E-UTRA）；Physical  layer  procedures".」で定められている、ユーザが基地局に通知をするチャネルの状態を表す指標である。なお、ＳＰＣでは、各ユーザのチャネルの状態に応じて電力割り当ての割合を決定する方法が一つの案として考えられる。そのような方法においては、ＣＱＩも電力割当てに関する情報として捉えることが可能である。
【０１２５】  一例として、下記の表４及び表５に、上記文献に記載されているＣＱＩテーブルを示す。
【０１２６】
【表４】
2016181718.tif 000029
【０１２７】
【表５】
2016181718.tif 000030
【０１２８】  （ｃ−２）送受信に関する制御情報  基地局１００（例えば、送信処理部１５１）は、送受信に関する制御情報に対応するスクランブルパターンを生成してもよい。なお、基地局１００は、スクランブルパターンの生成のために、電力割当てに関する情報のみを用いてもよいし、送受信に関する制御情報のみを用いてもよいし、双方を組み合わせて用いてもよい。
【０１２９】    ・ＲＶ  Ｉｎｄｅｘ（Redundancy  Version）  送受信に関する制御情報は、送信信号系列の再送回数を示す情報を含んでいてもよい。即ち、基地局１００は、ＲＮＴＩ等に代えて、送信信号系列の再送回数を示す情報を用いてスクランブルパターンを生成してもよい。送信信号系列の再送回数を示す情報としては、例えばＲＶインデックスが挙げられる。
【０１３０】  ＲＶインデックスは、「3GPP  TS  36.213："Evolved  Universal  Terrestrial  Radio  Access  （E-UTRA）；Physical  layer  procedures".」で定められている、ＨＡＲＱ（Hybrid  automatic  repeat  request）の再送回数を表すインデックスである。ＲＶインデックスは、例えば０、１、２、３の値を取る。基地局１００が、ＲＶインデックスをスクランブルパターンの生成に用いる場合、再送回数に応じてスクランブルパターンが変わることとなる。これにより、スクランブルパターンが再送回数に応じてランダム化されることとなるので、再送時の誤り率特性の改善が期待される。
【０１３１】    ・トランスミッションモード（Transmission  Mode）  送受信に関する制御情報は、トランスミッションモードを示す情報を含んでいてもよい。即ち、基地局１００は、ＲＮＴＩ等に代えて、トランスミッションモードを示す情報を用いてスクランブルパターンを生成してもよい。
【０１３２】  トランスミッションモードは、「3GPP  TS  36.213："Evolved  Universal  Terrestrial  Radio  Access  （E-UTRA）；Physical  layer  procedures".」で定められている。トランスミッションモードを示す情報は、例えばＳＩＭＯ／ＭＩＭＯ、送信ダイバーシチ（Transmit  Diversity）、開ループ／閉ループ（Open/Closed  Loop）、空間多重化（Spatial  Multiplexing）といった伝送方式（Transmission  Scheme）を示す。基地局１００が、トランスミッションモードを示す情報をスクランブルパターンの生成に用いる場合、信号のランダム化が実現され、それによって誤り率特性の改善が期待される。
【０１３３】    ・ＤＣＩフォーマット（Downlink  Control  Information  Format）  送受信に関する制御情報は、ＤＣＩフォーマットを示す情報を含んでいてもよい。即ち、基地局１００は、ＲＮＴＩ等に代えて、送信信号系列に対応するＤＣＩのフォーマットを示す情報を用いてスクランブルパターンを生成してもよい。
【０１３４】  ＤＣＩフォーマットは、「3GPP  TS  36.212："Evolved  Universal  Terrestrial  Radio  Access  （E-UTRA）；Multiplexing  and  channel  coding".」で定められている。ＤＣＩフォーマットとしては、例えばＭＣＳ、ＲＶインデックス及びＣＱＩリクエスト等の多様な情報を通知するための、フォーマット０、１、１Ａ、１Ｂ、１Ｃ、１Ｄ、２、２Ａ、２Ｂ、２Ｃ、２Ｄ、３、３Ａ、及び４が定められている。基地局１００が、ＤＣＩフォーマットを示す情報をスクランブルパターンの生成に用いる場合、信号のランダム化が実現され、それによって誤り率特性の改善が期待される。
【０１３５】    ・ＭＣＳ（Modulation  and  Coding  Scheme）  送受信に関する制御情報は、ＭＣＳを示す情報を含んでいてもよい。即ち、基地局１００は、ＲＮＴＩ等に代えて、ＭＣＳを示す情報を用いてスクランブルパターンを生成してもよい。
【０１３６】  ＭＣＳを示す情報としては、「3GPP  TS  36.213："Evolved  Universal  Terrestrial  Radio  Access  （E-UTRA）；Physical  layer  procedures".」で定められている、ＭＣＳインデックスが挙げられる。ＭＣＳインデックスは、変調次数（Modulation  Order）とトランスポートブロックサイズ（ＴＢＳ：Transport  block  size）との組み合わせを示す情報である。基地局１００が、ＭＣＳを示す情報をスクランブルパターンの生成に用いる場合、信号のランダム化が実現され、それによって誤り率特性の改善が期待される。
【０１３７】  一例として、下記の表６及び表７に、上記文献に記載されているＭＣＳテーブルを示す。
【０１３８】
【表６】
2016181718.tif 000031
【０１３９】
【表７】
2016181718.tif 000032
【０１４０】  （ｄ）インタリーブパターン  基地局１００（例えば、送信処理部１５１）は、多様なパラメータに基づいて送信信号系列に適用するインタリーブパターンを生成し得る。例えば、基地局１００は、スクランブルパターンと同様に、上記表１に示したパラメータの少なくともひとつを用いてスクランブルパターンを生成し得る。パラメータの具体的な内容は、上記説明した通りであるので、ここでの詳細な説明は省略する。
【０１４１】  （ｅ）情報の通知  上述したように、ユーザが、ＳＩＣを用いて干渉除去を行う場合、干渉信号に使用されたスクランブルパターン及び／又はインタリーブパターンが既知であることが望ましい。そのために、基地局１００は、干渉信号に用いられたスクランブルパターン及び／又はインタリーブパターンを再現することを可能にする情報を、各ユーザに通知する。
【０１４２】  ここで、干渉除去の対象となる干渉信号は、所望信号よりも受信強度が高い信号である。つまり、基地局１００においてＳＰＣを用いて多重化される際に、割当てられた電力が所望信号の電力レイヤよりも高い電力レイヤの信号が、干渉除去の対象となる。ユーザは、電力の大きな電力レイヤから順に干渉信号をキャンセルすることで、干渉信号レプリカ生成時の誤り率特性を改善することができる。そのために、基地局１００は、通知先のユーザ向けの信号の電力レイヤよりも割り当てられる電力が高い電力レイヤの信号に用いられた、スクランブルパターン及び／又はインタリーブパターンを再現することを可能にする情報を通知する。なお、通知先のユーザ向けの信号の電力レイヤよりも割り当てられる電力が低い電力レイヤの信号に用いられた、スクランブルパターン及び／又はインタリーブパターンを再現することを可能にする情報は、通知対象外であってもよい。
【０１４３】  以下、スクランブルパターンに着目して説明するが、インタリーブパターンについても同様の説明が成り立つ。
【０１４４】  （ｅ−１）電力割当てに関する情報  基地局１００（例えば、通知部１５３）は、電力割当てに関する情報を用いてスクランブルパターンを生成した場合、複数の電力レイヤの送信信号系列の宛先のユーザへ電力割当てに関する情報を通知する。これにより、ユーザは、スクランブルパターンの生成に用いられた情報を知得することができるので、干渉除去対象の信号に用いられたスクランブルパターンを再現することができる。
【０１４５】    ・電力レイヤのインデックス  基地局１００は、電力レイヤのインデックスを用いてスクランブルパターンを生成した場合、電力割当てに関する情報として、通知先のユーザへの送信信号系列の電力レイヤのインデックスを通知する。以下、通知先のユーザへの送信信号系列の電力レイヤを、対象の電力レイヤとも称する。
【０１４６】  例えば、図７に示したような、電力レイヤのインデックスと電力レベルとの関係が既知であれば、ユーザは、自身の電力レイヤのインデックスを知得するだけで、自身よりも電力レベルの高い他の電力レイヤのインデックスを知得することが可能となる。具体的には、通知された自身の電力レイヤのインデックスが１であれば、干渉除去対象の信号に用いられたスクランブルパターンの生成のために用いられた電力レイヤのインデックスが０であることを、ユーザは知得することができる。ユーザは、干渉除去対象の信号に用いられたスクランブルパターンの生成のために用いられた電力レイヤのインデックスを知ることができるので、当該スクランブルパターンを再現することができる。
【０１４７】  通知する情報が、対象の電力レイヤのインデックスであり、他のユーザの情報を含まないので、スクランブルパターンの生成にＲＮＴＩを用いる場合と比較して、無線リソースの消費量を抑制することが可能である。
【０１４８】  ただし、電力レイヤのインデックスと電力レベルとの関係が既知でない場合がある。そのために、基地局１００は、電力レイヤのインデックスと電力レベルとの関係を示す情報を通知してもよい。
【０１４９】  例えば、電力レイヤのインデックスと電力レベルとの関係について、下記の４つのパターンが想定される。ただし、対象の電力レイヤのインデックスをｋとし、電力レイヤの総数をＮとし、起点となるインデックスをｋ´とし、各電力レイヤに割り当てられる電力をＰ０，…，ＰＮ−１とする。
【０１５０】  １．インデックスが増加するほど電力が増加する、起点のインデックスが０      Ｐ０≦…≦Ｐｋ≦…≦ＰＮ−１  ２．インデックスが増加するほど電力が減少する、起点のインデックスがＮ−１      ＰＮ−１≦…≦Ｐｋ≦…≦Ｐ０  ３．インデックスが増加するほど電力が増加する、起点のインデックスがｋ´      Ｐｋ´≦…≦Ｐｋ≦…≦ＰＮ−１≦Ｐ０≦…≦Ｐｋ´−１  ４．インデックスが増加するほど電力が減少する、起点のインデックスがｋ´      Ｐｋ´≦…≦Ｐ０≦ＰＮ−１≦…≦Ｐｋ≦…≦Ｐｋ´＋１
【０１５１】  上記の４つのパターンに関し、基地局１００は、電力割当てに関する情報として、複数の電力レイヤの総数、電力レイヤのインデックスの増減方向と割り当てられる電力の増減方向との関係を示す情報、及び割り当てられる電力の増減方向の起点となるインデックスを通知する。なお、電力レイヤのインデックスの増減方向と割り当てられる電力の増減方向との関係を示す情報とは、インデックスが増加するほど電力が増加するのか減少するのか、を示す情報である。
【０１５２】  これらの情報の通知により、ユーザは、干渉除去対象の信号の電力レイヤのインデックスを知得することができる。例えば、パターン１に関しては、ｋ＋１，…，Ｎ−１が、干渉除去対象の信号の電力レイヤのインデックスである。パターン２に関しては、０，…，ｋ−１が、干渉除去対象の信号の電力レイヤのインデックスである。パターン３に関しては、ｋ＋１，…，Ｎ−１，０，…，ｋ´−１が、干渉除去対象の信号の電力レイヤのインデックスである。パターン４に関しては、ｋ−１，・・・，ｋ´＋１が、干渉除去対象の信号の電力レイヤのインデックスである。
【０１５３】  なお、起点となるインデックスが０又はＮ−１である場合、起点となるインデックスの通知は省略されてもよい。また、電力レイヤの総数が２である場合、電力レイヤのインデックスの増減方向と割り当てられる電力の増減方向との関係を示す情報の通知、及び起点となるインデックスの通知は、省略されてもよい。
【０１５４】    ・電力テーブルのインデックス  基地局１００は、電力テーブルのインデックスを用いてスクランブルパターンを生成した場合、電力割当てに関する情報として、通知先のユーザへの送信信号系列の電力テーブルのインデックスを通知する。ここで、表２を参照して上記説明したように、電力テーブルのインデックスとは、電力レイヤのインデックスと複数の電力レイヤの各々に割当てられる電力のパターンを示す情報との組み合わせから成る情報である。
【０１５５】  ユーザは、通知された情報から、所望信号の電力テーブルのインデックス、及び干渉除去対象の信号の電力テーブルのインデックスを知得することができる。これにより、ユーザは、干渉除去対象の信号に用いられたスクランブルパターンを再現することができる。
【０１５６】    ・電力割当ての割合  基地局１００は、対象の電力レイヤに割当てられる電力の値を用いてスクランブルパターンを生成した場合、電力割当てに関する情報として、複数の電力レイヤの各々に割当てられる電力の値を示す情報を通知する。例えば、基地局１００は、上記表３に示した電力割当ての割合を用いてスクランブルパターンを生成した場合、複数の電力レイヤの各々の電力割当ての割合を示すインデックスＰＲａｔｅを通知する。
【０１５７】  ユーザは、通知された情報から、所望信号の電力レイヤに割当てられた電力の値、及び干渉除去対象の信号の電力レイヤに割当てられた電力の値を知得することができる。これにより、ユーザは、干渉除去対象の信号に用いられたスクランブルパターンを再現することができる。
【０１５８】    ・ＣＱＩ  基地局１００は、対象のユーザのＣＱＩを用いてスクランブルパターンを生成した場合、電力割当てに関する情報として、複数の電力レイヤの送信信号系列の宛先の１以上の他のユーザのＣＱＩを通知する。
【０１５９】  ユーザは、通知された情報から、干渉除去対象の信号の宛先の１以上のユーザの各々のＣＱＩを知得することができる。これにより、ユーザは、干渉除去対象の信号に用いられたスクランブルパターンを再現することができる。
【０１６０】  （ｅ−２）送受信に関する制御情報  基地局１００（例えば、通知部１５３）は、送受信に関する制御情報を用いてスクランブルパターンを生成した場合、複数の電力レイヤの前記送信信号系列の各々の送受信に関する制御情報を通知する。これにより、ユーザは、スクランブルパターンの生成に用いられた情報を知得することができるので、干渉除去対象の信号に用いられたスクランブルパターンを再現することができる。
【０１６１】  例えば、基地局１００は、複数の電力レイヤの送信信号系列の各々のＲＶインデックス、トランスミッションモード、対応するＤＣＩのフォーマット、ＭＣＳを示す情報を通知する。
【０１６２】  （ｅ−３）通知手段  基地局１００は、ＲＲＣ（Radio  Resource  Control）シグナリング又はＲＲＣメッセージの一部として通知してもよい。他にも、基地局１００は、システム情報（System  Information）の一部として通知してもよい。他にも、基地局１００は、ＤＣＩの一部として通知してもよい。
【０１６３】  （ｆ）多重化の対象  基地局１００（例えば、送信処理部１５１）は、スクランブルパターン及び／又はインタリーブパターンの生成に用いる送受信に関する制御情報に応じて、多重化する対象の送信信号系列を選択してもよい。
【０１６４】  例えば、電力割当てを用いて多重化される複数の電力レイヤの送信信号系列は、送受信に関する制御情報が同一のユーザへの送信信号系列であってもよい。この場合、干渉信号レプリカを生成する際に使用するスクランブルパターン及び／又はインタリーブパターンは、ユーザ自身と同じ送受信に関する制御情報を用いて生成されることとなる。そのため、ユーザは、自身の送受信に関する制御情報を用いて、干渉除去対象の信号に用いられたスクランブルパターン及び／又はインタリーブパターンを再現することができる。よって、基地局１００（例えば、通知部１５３）は、送受信に関する制御情報の通知を省略することが可能である。
【０１６５】  他方、電力割当てを用いて多重化される複数の電力レイヤの送信信号系列は、送受信に関する制御情報が異なるユーザへの送信信号系列であってもよい。つまり、制御情報の値によらず、全てのユーザへの送信信号系列を対象として電力割当てを用いた多重化が行われてもよい。この場合、基地局１００（例えば、通知部１５３）は、電力レイヤで重畳されている全てのユーザの送受信に関する制御情報を通知する。
【０１６６】  基地局１００（例えば、送信処理部１５１）は、ＳＰＣを用いた多重化と空間多重化とを組み合わせてもよい。その場合、基地局１００は、空間割当てを用いて多重化される複数の空間レイヤごとに、ＳＰＣを用いた多重化を行う。詳しくは、基地局１００は、割当てられた空間レイヤにおいて電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する。もちろん、基地局１００は、スクランブルパターン及び／又はインタリーブパターンの生成に、送受信に関する制御情報を用いてもよい。
【０１６７】  （２）受信側の処理  （ａ）情報の取得  端末装置２００（例えば、取得部２４１）は、電力割当てを用いて多重化される複数の電力レイヤの電力割当てに関する情報を取得する。また、端末装置２００は、電力割当てを用いて多重化される複数の電力レイヤにおいて送信される送信信号系列の送受信に関する制御情報を取得する。取得する情報は、基地局１００から通知された情報である。例えば、端末装置２００は、ＲＲＣシグナリング若しくはＲＲＣメッセージ、システム情報又はＤＣＩの少なくともいずれかから取得する。
【０１６８】  （ｂ）スクランブルパターン及び／又はインタリーブパターンの再現  端末装置２００（受信処理部２４３）は、取得した電力割当てに関する情報及び／又は送受信の関する制御情報に基づいて、電力レイヤの各々について送信側で用いられたスクランブルパターン及び／又はインタリーブパターンを再現する。
【０１６９】  例えば、端末装置２００は、基地局１００側でのスクランブルパターンの生成に電力割当てに関する情報が用いられる場合、電力割当てに関する情報に対応するスクランブルパターンを生成する。また、端末装置２００は、基地局１００側でのスクランブルパターンの生成に送受信に関する制御情報が用いられる場合、送受信に関する制御情報に対応するスクランブルパターンを生成する。インタリーブパターンについても同様である。
【０１７０】  （ｃ）干渉除去  基地局１００（受信処理部２４３）は、再現したスクランブルパターンを用いたデスクランブラ、及び／又は再現したインタリーブパターンを用いたデインタリーバを用いて干渉除去を行う。
【０１７１】  ＜５．２．処理の流れ＞  次に、図８〜図１６を参照して、第１の実施形態に係る処理の例を説明する。
【０１７２】  （１）送信処理  図８は、第１の実施形態に係る基地局１００の送信処理の概略的な流れの一例を示すフローチャートである。
【０１７３】  図８に示すように、まず、基地局１００（送信処理部１５１）は、誤り訂正符号化及びレートマッチングを行うことにより、符号化ビット系列を生成する（Ｓ１０２）。
【０１７４】  上記符号化ビット系列がＳＰＣを用いて多重化される場合（Ｓ１０４：ＹＥＳ）、基地局１００（送信処理部１５１）は、第１のパラメータを用いてスクランブルパターン及び／又はインタリーブパターンを生成するステップＳ１０６）。この第１のパラメータとは、上記表１に示した、本技術において用いられるパラメータのうち少なくともいずれかである。
【０１７５】  そうでなければ（Ｓ１０４：ＮＯ）、基地局１００（送信処理部１５１）は、第２のパラメータを用いてスクランブルパターン及び／又はインタリーブパターンを生成する（Ｓ１０８）。この第２のパラメータとは、上記表１に示した、３ＧＰＰの仕様において用いられるパラメータのうち少なくともいずれかである。
【０１７６】  そして、基地局１００（送信処理部１５１）は、生成したスクランブルパターン及び／又はインタリーブパターンを用いて、符号化ビット系列をスクランブル及び／又はインタリーブする（Ｓ１１０）。
【０１７７】  基地局１００（送信処理部１５１）は、（インタリーブされた、及び／又はスクランブルされた）符号化ビット系列についての他の処理（例えば、変調及び電力割当てなど）を行う（Ｓ１１２）。そして、処理は終了する。
【０１７８】  （２）受信処理  （ａ）受信処理  図９は、第１の実施形態に係る端末装置２００の受信処理の概略的な流れの一例を示すフローチャートである。例えば、当該受信処理は、サブフレームごとに行われる。
【０１７９】  端末装置２００（受信処理部２４３）は、制御チャネル上で送信されるダウンリンク制御情報（ＤＣＩ）を復号する（Ｓ３２１）。例えば、当該制御チャネルは、ＰＤＣＣＨである。
【０１８０】  端末装置２００に無線リソースが割当てられ（Ｓ３２３：ＹＥＳ）、且つ、ＳＰＣを用いた多重化が行われた場合には（Ｓ３２５：ＹＥＳ）、端末装置２００は、ＳＰＣ用の復号処理を行う（Ｓ３６０）。例えば、ＳＰＣ用の当該復号処理は、干渉除去（Interference  Cancellation：ＩＣ）、干渉抑圧（Interference  Suppression：ＩＳ）、又は最尤復号（Maximum  Likelihood  Decoding：ＭＬＤ）などである。そして、端末装置２００（処理部２４０）は、ＡＣＫ／ＮＡＣＫを基地局１００へ送信する（Ｓ３２７）。そして、処理は終了する。
【０１８１】  端末装置２００に無線リソースが割当てられ（Ｓ３２３：ＹＥＳ）、且つ、ＳＰＣを用いた多重化が行われていない場合には（Ｓ３２５：ＮＯ）、端末装置２００は、非ＳＰＣ用の復号処理を行う（Ｓ３４０）。例えば、非ＳＰＣ用の当該復号処理は、直交マルチアクセス（Orthogonal  Multiple  Access：ＯＭＡ）用の復号処理である。そして、端末装置２００（処理部２４０）は、ＡＣＫ／ＮＡＣＫを基地局１００へ送信する（Ｓ３２７）。そして、処理は終了する。
【０１８２】  端末装置２００に無線リソースが割当てられていない場合には（Ｓ３２３：ＮＯ）、処理は終了する。
【０１８３】  （ｂ）非ＳＰＣ用の復号処理  図１０は、非ＳＰＣ用の復号処理の概略的な流れの一例を示すフローチャートである。非ＳＰＣ用の当該復号処理は、図９に示されるステップＳ３４０に相当する。
【０１８４】  端末装置２００（受信処理部２４３）は、基地局１００により送信されるリファレンス信号に基づいてチャネル推定を行う（Ｓ３４１）。例えば、当該リファレンス信号は、ＣＲＳ（Cell-specific  Reference  Signal）又はＤＭ−ＲＳ（Demodulation  Reference  Signal）である。例えば、送信の際にプリコーディング行列が使用されていない（又はプリコーディング行列として特定の行列（例えば単位行列若しくは対角行列）が使用されている）場合には、端末装置２００は、ＣＲＳに基づいてチャネル推定を行う。一方、送信の際に複数のプリコーディング行列の中から選択されたプリコーディング行列が使用されている場合には、端末装置２００は、ＤＭ−ＲＳに基づいてチャネル推定を行う。
【０１８５】  端末装置２００（受信処理部２４３）は、上記チャネル推定の結果に基づいて、チャネル等化重み及び／又は空間等化重みを生成し（Ｓ３４３）、当該チャネル等化重み及び／又は当該空間等化重みを使用して受信信号等化を行う（Ｓ３４５）。上記チャネル等化重みは、最小平均二乗誤差（Minimum  Mean  Square  Error：ＭＭＳＥ）規範に基づく線形等化重み行列であってもよく、又は、ＺＦ（Zero  Forcing）規範に基づく線形等化重み行列であってもよい。線形等化以外の手法として、最尤（Maximum  Likelihood：ＭＬ）検出、ＭＬ推定、繰返し干渉除去（Iterative  Detection/Iterative  Cancellation）又はターボ等化（Turbo  Equalization）などが用いられてもよい。
【０１８６】  端末装置２００（受信処理部２４３）は、上記受信信号等化の結果に基づいて、符号化ビット系列に対応する受信側の対数尤度比（Log  Likelihood  Ratio：ＬＬＲ）系列を生成する（Ｓ３４７）。
【０１８７】  送信側でスクランブリングが行われた場合には（Ｓ３４９：ＹＥＳ）、端末装置２００（受信処理部２４３）は、上記ＬＬＲ系列をデスクランブルする（Ｓ３５１）。図１０では省略されているが、送信側でインタリービングが行われた場合には、端末装置２００（受信処理部２４３）は、上記ＬＬＲ系列をデインタリーブする。デスクランブリング及びデインタリービングの順序は、送信側での順序に対応する。
【０１８８】  端末装置２００（受信処理部２４３）は、（デスクランブリング後の）ＬＬＲ系列についての誤り訂正復号を実行する（Ｓ３５３）。例えば、当該誤り訂正復号は、ビタビ復号、ターボ復号又はＭＰＡ（Message  Passing  Algorithm）復号などである。
【０１８９】  端末装置２００（受信処理部２４３）は、復号後のビット系列についてＣＲＣを行う（Ｓ３５５）。即ち、端末装置２００は、正しく復号が行われたかをチェックする。そして、処理は終了する。
【０１９０】  （ｃ）ＳＰＣ用の復号処理（第１の例：ＳＩＣ）  （ｃ−１）処理全体  図１１は、ＳＰＣ用の復号処理の概略的な流れの第１の例を示すフローチャートである。ＳＰＣ用の当該復号処理は、図９に示されるステップＳ３６０に相当する。とりわけ、当該第１の例は、ＳＩＣ（Successive  Interference  Cancellation）ベースの処理の例である。
【０１９１】  端末装置２００（受信処理部２４３）は、受信信号をバッファする（Ｓ３６１）。
【０１９２】  端末装置２００（受信処理部２４３）は、まだ選択されていない電力レイヤのうちの、より高い電力が割当てられる電力レイヤを対象レイヤとして選択する（Ｓ３６３）。
【０１９３】  端末装置２００（受信処理部２４３）は、上記対象レイヤについて適用されたトランスミッションモード（Transmission  Mode：ＴＭ）を判定する（Ｓ３６５）。また、端末装置２００（受信処理部２４３）は、上記対象レイヤについてインタリービング／スクランブリングが行われたかを判定する（Ｓ３６７）。そして、端末装置２００は、上記対象レイヤについて非ＳＰＣ用の復号処理を行う（Ｓ３８０）。
【０１９４】  上記対象レイヤの信号が端末装置２００への信号であれば（Ｓ３７１：ＹＥＳ）、処理は終了する。
【０１９５】  そうでなければ（Ｓ３７１：ＮＯ）、端末装置２００（受信処理部２４３）は、上記対象レイヤについて干渉信号レプリカ生成処理を行う（Ｓ４００）。端末装置２００（受信処理部２４３）は、当該干渉信号レプリカ生成処理を行うことにより、干渉信号レプリカを生成する。そして、端末装置２００（受信処理部２４３）は、バッファされた信号から上記干渉信号レプリカを減算し（Ｓ３７３）、減算後の信号を再びバッファする（Ｓ３７５）。そして、処理はステップＳ３６３へ戻る。
【０１９６】  なお、上述した例では、１ユーザに１レイヤのみが割り当てられる例であるが、第１の実施形態はこの例に限定されない。例えば、１ユーザに２レイヤ以上が割り当てられてもよい。この場合に、ステップＳ３７１で、対象レイヤの信号が端末装置２００への信号だったとしても、処理は、終了せずにステップＳ４００に進んでもよい。
【０１９７】  また、ステップＳ３６７におけるインタリービングが行われたかの判定は、対象レイヤが最大の電力の電力レイヤであるかに基づいて行われてもよく、又は、ＤＣＩの中で通知されるインタリーバの使用の有無に基づいて行われてもよい。
【０１９８】  （ｃ−２）対象レイヤについての非ＳＰＣ用の復号処理  図１２は、対象レイヤについての非ＳＰＣ用の復号処理の概略的な流れの一例を示すフローチャートである。非ＳＰＣ用の当該復号処理は、図１１に示されるステップＳ３８０に相当する。
【０１９９】  なお、ステップＳ３８１〜Ｓ３８７についての説明と、図１０に示されるステップＳ３４１〜Ｓ３４７についての説明との間には、特段の差異はない。よって、ステップＳ３８９〜Ｓ３９９のみを説明する。
【０２００】  送信側でインタリービングが行われた場合には（Ｓ３８９：ＹＥＳ）、端末装置２００（受信処理部２４３）は、対象レイヤに対応するデインタリーバを使用して、ＬＬＲ系列をデインタリーブする（Ｓ３９１）。詳しくは、端末装置２００は、対象レイヤの電力割当てに関する情報及び／又は送受信に関する制御情報に対応するデインタリーバを使用して、デインタリーブする。
【０２０１】  一方、送信側でインタリービングが行われていないが（Ｓ３８９：ＮＯ）、送信側でスクランブリングが行われた場合には（Ｓ３９３：ＹＥＳ）、端末装置２００（受信処理部２４３）は、ＬＬＲ系列をデスクランブルする（Ｓ３９５）。詳しくは、端末装置２００は、対象レイヤの電力割当てに関する情報及び／又は送受信に関する制御情報に対応するデスクランブラを使用して、デスクランブルする。
【０２０２】  端末装置２００（受信処理部２４３）は、（デインタリーブ／デスクランブリング後の）ＬＬＲ系列についての誤り訂正復号を実行する（Ｓ３９７）。例えば、当該誤り訂正復号は、ビタビ復号、ターボ復号又はＭＰＡ復号などである。
【０２０３】  端末装置２００（受信処理部２４３）は、復号後のビット系列についてＣＲＣを行う（Ｓ３９９）。即ち、端末装置２００は、正しく復号が行われたかをチェックする。そして、処理は終了する。
【０２０４】  （ｃ−３）対象レイヤについての干渉信号レプリカ生成処理  図１３は、対象レイヤについての干渉信号レプリカ生成処理の概略的な流れの一例を示すフローチャートである。当該干渉信号レプリカ生成処理は、図１１に示されるステップＳ４００に相当する。
【０２０５】  対象レイヤのビット系列が正しく復号された場合には（Ｓ４０１：ＹＥＳ）、端末装置２００（受信処理部２４３）は、ビット系列を取得し（Ｓ４０３）、当該ビット系列についての誤り訂正符号化及びレートマッチングを行うことにより、符号化ビット系列を生成する（Ｓ４０５）。
【０２０６】  一方、上記対象レイヤのビット系列が正しく復号されなかった場合には（Ｓ４０１：ＮＯ）、端末装置２００（受信処理部２４３）は、ＬＬＲ系列を取得し（Ｓ４０７）、当該ＬＬＲ系列についてのレートマッチングを行う（Ｓ４０９）。上記ＬＬＲ系列は、誤り訂正復号処理の過程で生成される系列である。
【０２０７】  上記対象レイヤのビット系列が正しく復号されたか否かは（Ｓ４０１）、ＣＲＣの結果に基づいて判定可能である。
【０２０８】  送信側でインタリービングが行われた場合には（Ｓ４１１：ＹＥＳ）、端末装置２００（受信処理部２４３）は、上記対象レイヤに対応するインタリーバを使用して、上記符号化ビット系列（又は上記ＬＬＲ系列）をインタリーブする（Ｓ４１３）。詳しくは、端末装置２００は、対象レイヤの電力割当てに関する情報及び／又は送受信に関する制御情報に対応するインタリーバを使用して、インタリーブする。
【０２０９】  一方、送信側でインタリービングが行われていないが（Ｓ４１１：ＮＯ）、送信側でスクランブリングが行われた場合には（Ｓ４１５：ＹＥＳ）、端末装置２００（受信処理部２４３）は、上記符号化ビット系列（又は上記ＬＬＲ系列）をスクランブルする（Ｓ４１７）。詳しくは、端末装置２００は、対象レイヤの電力割当てに関する情報及び／又は送受信に関する制御情報に対応するスクランブラを使用して、スクランブルする。
【０２１０】  端末装置２００（受信処理部２４３）は、（インタリーブされた、又はスクランブルされた）上記符号化ビット系列（又は上記ＬＬＲ系列）についての他の処理（例えば、変調及び電力割当てなど）を行う（Ｓ４１９）。そして、処理は終了する。
【０２１１】  なお、例えば、上記ＬＬＲ系列についての他の処理として、上記ＬＬＲ系列についての軟変調（Soft  Modulation）が行われる。当該軟変調では、ＬＬＲ系列から、変調シンボル（例えば、ＢＰＳＫ、ＱＰＳＫ、８ＰＳＫ、１６ＰＳＫ、１６ＱＡＭ、６４ＱＡＭ又は２５６ＱＡＭなど）の信号点候補が生成される確率が算出されるので、変調シンボルの信号点の期待値を生成することが可能である。これにより、干渉信号レプリカの生成におけるビット復号誤りの影響を小さくすることが可能になる。
【０２１２】  （ｄ）ＳＰＣ用の復号処理（第２の例：ＰＩＣ）  （ｄ−１）処理全体  図１４は、ＳＰＣ用の復号処理の概略的な流れの第２の例を示すフローチャートである。ＳＰＣ用の当該復号処理は、図９に示されるステップＳ３６０に相当する。とりわけ、当該第２の例は、ＰＩＣ（Parallel  Interference  Cancellation）ベースの処理の例である。
【０２１３】  端末装置２００（受信処理部２４３）は、受信信号をバッファする（Ｓ４２１）。
【０２１４】  端末装置２００（受信処理部２４３）は、複数の電力レイヤの各々について適用されたトランスミッションモード（ＴＭ）を判定する（Ｓ４２３）。また、端末装置２００（受信処理部２４３）は、上記複数の電力レイヤの各々についてインタリービング／スクランブリングが行われたかを判定する（Ｓ４２５）。そして、端末装置２００は、上記複数の電力レイヤについて並列復号処理を行う（Ｓ４４０）。
【０２１５】  自装置（端末装置２００）宛のビット系列が正しく復号された場合には（Ｓ４２７：ＹＥＳ）、処理は終了する。また、自装置（端末装置２００）宛のビット系列が正しく復号されなかったが（Ｓ４２７：ＮＯ）、並列復号処理が複数回実行された場合にも（Ｓ４２９：ＹＥＳ）、処理は終了する。
【０２１６】  そうでなければ（Ｓ４２９：ＮＯ）、端末装置２００（受信処理部２４３）は、干渉信号レプリカ生成処理を行う（Ｓ４７０）。端末装置２００（受信処理部２４３）は、当該干渉信号レプリカ生成処理を行うことにより、干渉信号レプリカを生成する。そして、端末装置２００（受信処理部２４３）は、バッファされた信号から上記干渉信号レプリカを減算し（Ｓ４３１）、減算後の信号を再びバッファする（Ｓ４３３）。そして、処理はステップＳ４４０へ戻る。
【０２１７】  なお、ステップＳ４２５におけるインタリービングが行われたかの判定は、電力レイヤが最大の電力の電力レイヤであるかに基づいて行われてもよく、又は、ＤＣＩの中で通知されるインタリーバの使用の有無に基づいて行われてもよい。
【０２１８】  （ｄ−２）復号処理  図１５は、並列復号処理の概略的な流れの一例を示すフローチャートである。当該並列復号処理は、図１４に示されるステップＳ４４０に相当する。
【０２１９】  端末装置２００（受信処理部２４３）は、複数のレイヤの各々について、基地局１００により送信されるリファレンス信号に基づいてチャネル推定を行う（Ｓ４４１）。例えば、当該リファレンス信号は、ＣＲＳ又はＤＭ−ＲＳである。例えば、送信の際にプリコーディング行列が使用されていない（又はプリコーディング行列として特定の行列（例えば単位行列若しくは対角行列）が使用されている）場合には、端末装置２００は、ＣＲＳに基づいてチャネル推定を行う。一方、送信の際に複数のプリコーディング行列の中から選択されたプリコーディング行列が使用されている場合には、端末装置２００は、ＤＭ−ＲＳに基づいてチャネル推定を行う。
【０２２０】  端末装置２００（受信処理部２４３）は、上記チャネル推定の結果に基づいて、チャネル等化重み及び／又は空間等化重みを生成し（Ｓ４４３）、当該チャネル等化重み及び／又は当該空間等化重みを使用して受信信号等化を行う（Ｓ４４５）。上記チャネル等化重みは、ＭＭＳＥ規範に基づく線形等化重み行列であってもよく、又は、ＺＦ規範に基づく線形等化重み行列であってもよい。線形等化以外の手法として、ＭＬ検出、ＭＬ推定、繰返し干渉除去、又はターボ等化などが用いられてもよい。
【０２２１】  端末装置２００（受信処理部２４３）は、上記複数のレイヤの中から対象レイヤを選択する（Ｓ４４９）。
【０２２２】  対象レイヤのビット系列が既に正しく復号されている場合には（Ｓ４４９：ＹＥＳ）、全ての電力レイヤが選択されていれば（Ｓ４６５：ＹＥＳ）、処理は終了し、全ての電力レイヤがまだ選択されていなければ（Ｓ４６５：ＮＯ）、処理はステップＳ４４７へ戻る。
【０２２３】  対象レイヤのビット系列がまだ正しく復号されていない場合には（Ｓ４４９：ＮＯ）、端末装置２００（受信処理部２４３）は、上記受信信号等化の結果に基づいて、符号化ビット系列に対応する受信側のＬＬＲ系列を生成する（Ｓ４５１）。
【０２２４】  送信側でインタリービングが行われた場合には（Ｓ４５３：ＹＥＳ）、端末装置２００（受信処理部２４３）は、対象レイヤに対応するデインタリーバを使用して、ＬＬＲ系列をデインタリーブする（Ｓ４５５）。詳しくは、端末装置２００は、対象レイヤの電力割当てに関する情報及び／又は送受信に関する制御情報に対応するデインタリーバを使用して、デインタリーブする。
【０２２５】  一方、送信側でインタリービングが行われていないが（Ｓ４５３：ＮＯ）、送信側でスクランブリングが行われた場合には（Ｓ４５７：ＹＥＳ）、端末装置２００（受信処理部２４３）は、ＬＬＲ系列をデスクランブルする（Ｓ４５９）。詳しくは、端末装置２００は、対象レイヤの電力割当てに関する情報及び／又は送受信に関する制御情報に対応するデスクランブラを使用して、デスクランブルする。
【０２２６】  端末装置２００（受信処理部２４３）は、（デインタリーブ／デスクランブリング後の）ＬＬＲ系列についての誤り訂正復号を実行する（Ｓ４６１）。例えば、当該誤り訂正復号は、ビタビ復号、ターボ復号又はＭＰＡ復号などである。
【０２２７】  端末装置２００（受信処理部２４３）は、復号後のビット系列についてＣＲＣを行う（Ｓ４６３）。即ち、端末装置２００は、正しく復号が行われたかをチェックする。そして、全ての電力レイヤが選択されていれば（Ｓ４６５：ＹＥＳ）、処理は終了し、全ての電力レイヤがまだ選択されていなければ（Ｓ４６５：ＮＯ）、処理はステップＳ４４７へ戻る。
【０２２８】  なお、フローチャートでの表現のために、ステップＳ４４７〜Ｓ４６５が繰返し処理として示されているが、当然ながら、ステップＳ４４７〜Ｓ４６５は、上記複数の電力レイヤの各々について並列に実行され得る。
【０２２９】  （ｄ−３）干渉レプリカの生成  図１６は、干渉信号レプリカ生成処理の概略的な流れの一例を示すフローチャートである。当該干渉信号レプリカ生成処理は、図１４に示されるステップＳ４７０に相当する。
【０２３０】  端末装置２００（受信処理部２４３）は、複数のレイヤの中から対象レイヤを選択する（Ｓ４７１）。
【０２３１】  上記対象レイヤのビット系列が正しく復号されたが（Ｓ４７３：ＹＥＳ）、上記対象レイヤの正しく復号されたビット系列に基づいて、干渉信号レプリカが既に生成されていない場合には（Ｓ４７５：ＮＯ）、端末装置２００（受信処理部２４３）は、上記ビット系列を取得する（Ｓ４７７）。そして、端末装置２００（受信処理部２４３）は、当該ビット系列についての誤り訂正符号化及びレートマッチングを行うことにより、符号化ビット系列を生成する（Ｓ４４９）。
【０２３２】  上記対象レイヤの正しく復号されたビット系列に基づいて、干渉信号レプリカが既に生成された場合には（Ｓ４７５：ＹＥＳ）、全ての電力レイヤが選択されていれば（Ｓ４９７：ＹＥＳ）、処理は終了し、全ての電力レイヤがまだ選択されていなければ（Ｓ４９７：ＮＯ）、処理はステップＳ４７１へ戻る。
【０２３３】  上記対象レイヤのビット系列が正しく復号されていない場合には（Ｓ４７３：ＮＯ）、端末装置２００（受信処理部２４３）は、ＬＬＲ系列を取得し（Ｓ４８１）、当該ＬＬＲ系列についてのレートマッチングを行う（Ｓ４８３）。上記ＬＬＲ系列は、誤り訂正復号処理の過程で生成される系列である。
【０２３４】  上記対象レイヤのビット系列が正しく復号されたか否かは（Ｓ４７３）、ＣＲＣの結果に基づいて判定可能である。
【０２３５】  送信側でインタリービングが行われた場合には（Ｓ４８５：ＹＥＳ）、端末装置２００（受信処理部２４３）は、上記対象レイヤに対応するインタリーバを使用して、上記符号化ビット系列（又は上記ＬＬＲ系列）をインタリーブする（Ｓ４８７）。詳しくは、端末装置２００は、対象レイヤの電力割当てに関する情報及び／又は送受信に関する制御情報に対応するインタリーバを使用して、インタリーブする。
【０２３６】  一方、送信側でインタリービングが行われていないが（Ｓ４８５：ＮＯ）、送信側でスクランブリングが行われた場合には（Ｓ４８９：ＹＥＳ）、端末装置２００（受信処理部２４３）は、上記符号化ビット系列（又は上記ＬＬＲ系列）をスクランブルする（Ｓ４９１）。詳しくは、端末装置２００は、対象レイヤの電力割当てに関する情報及び／又は送受信に関する制御情報に対応するスクランブラを使用して、スクランブルする。
【０２３７】  端末装置２００（受信処理部２４３）は、（インタリーブされた、又はスクランブルされた）上記符号化ビット系列（又は上記ＬＬＲ系列）についての他の処理（例えば、変調及び電力割当てなど）を行う（Ｓ４９３）。そして、端末装置２００（受信処理部２４３）は、生成された干渉信号レプリカをバッファする（Ｓ４９５）。そして、全ての電力レイヤが選択されていれば（Ｓ４９７：ＹＥＳ）、処理は終了し、全ての電力レイヤがまだ選択されていなければ（Ｓ４９７：ＮＯ）、処理はステップＳ４７１へ戻る。
【０２３８】  ＜＜６．第２の実施形態＞＞  本実施形態は、マルチキャスト送信又はブロードキャスト送信される信号がＳＰＣを用いて多重される形態である。以下では、第１の実施形態と同様の内容については説明を省略し、第１の実施形態との相違点について主に説明する。
【０２３９】    ＜６．１．ＭＢＭＳ＞  （１）ＭＢＭＳについて  ＬＴＥに関する技術のひとつとして、マルチメディアブロードキャスト／マルチキャストサービス（ＭＢＭＳ：Multimedia  Broadcast／Multicast  Services）が知られている。ＭＢＭＳは、データをブロードキャスト送信又はマルチキャスト送信することで、映像又は音声等を含むサービスを多数のユーザに同時に提供する技術である。ＭＢＭＳでは、物理チャネルＰＭＣＨ（Physical  Multicast  Channel）においてデータが送信される。以下、図１７を参照して、ＭＢＭＳについて説明する。
【０２４０】  図１７は、ＭＢＭＳの概要を説明するための説明図である。図１７に示すように、ＭＢＭＳでは、ＭＢＭＳを提供するエリア（MBMS  Service  Area）が、ＭＢＳＦＮ（Multimedia  Broadcast  Single  Frequency  Network）と呼ばれるエリアに分けられる。そして、同一のＭＢＳＦＮエリア内では、ひとつ以上の基地局１００が協調して、同一のデータを同エリア内のひとつ以上の端末装置２００にブロードキャスト送信又はマルチキャスト送信する。ＭＢＳＦＮエリア内には、ＭＢＳＦＮ  Ａｒｅａ  Ｒｅｓｅｒｖｅｄ  Ｃｅｌｌが存在し、当該セルは、ＭＢＭＳを提供せずに、他のサービスを提供することが可能である。続いて、図１８を参照して、ＭＢＳＦＮエリアについて詳しく説明する。
【０２４１】  図１８は、ＭＢＳＦＮエリアを説明するための説明図である。図１８では、７つのセル１０が３つのＭＢＳＦＮエリアに分けられる場合の例を示しており、それぞれのＭＢＳＦＮエリアにＩＤ＝０、１、２が割り当てられている。中央のセル１０は、ＩＤ＝０、１の両方のＭＢＳＦＮエリアに属している。ＭＢＳＦＮエリアのＩＤは、ＭＢＳＦＮ  Ａｒｅａ  Ｉｄｅｎｔｉｆｙとも呼ばれ、以下ではＮＩＤＭＢＳＦＮとも表記する。ＮＩＤＭＢＳＦＮは、０から２５５までのいずれかの値を取るものとする。
【０２４２】  （２）ＭＢＭＳにおけるＳＰＣ  ＭＢＭＳにおいてＳＰＣが採用される場合、マルチキャスト送信又はブロードキャスト送信されるデータが複数、同一時間リソース及び／又は同一周波数リソース上で、電力領域で多重されることが想定される。データ数が２の場合の例を、図１９に示した。図１９は、ＭＢＭＳにおける電力レイヤへの電力割当ての一例を説明するための説明図である。図７と同様に、図１９における横軸は周波数リソース及び／又は時間リソースであり、縦軸は電力レベル（割り当てられる電力の高さ）である。図１９に示すように、マルチキャスト送信又はブロードキャスト送信されるＴＢＳ（Transport  Block  Set）０とＴＢＳ１とが、同一時間リソース及び／又は同一周波数リソース上で、電力領域で多重されている。
【０２４３】  受信側では、第１の実施形態と同様に、ＳＰＣを用いて多重化された複数の電力レイヤの信号から、ＳＩＣを用いて所望信号を復号するものとする。ここで、受信側でＳＩＣが適切に機能するためには、干渉信号（即ち、他のユーザの信号）と所望信号との間で生じる干渉が少ないことが望ましい。以下では、干渉信号と所望信号との間で生じる干渉に影響を与え得る、スクランブルパターンについて説明する。
【０２４４】  ＭＢＭＳにおいては、スクランブルパターンｃ（ｑ）（ｉ）は、次式で算出される初期値ｃｉｎｉｔを用いて一意に決定される。
【０２４５】
【数２４】
2016181718.tif 000033
【０２４６】  ただし、ｎｓは、スロットインデックスを示し、ＮＩＤＭＢＳＦＮは、ＭＢＳＦＮエリアのＩＤを示す。
【０２４７】  ここで、ＭＢＭＳにおいては、同一のＭＢＭＳエリアに属するユーザには同一のデータが同時に送信されるという特徴から、電力レイヤで重畳される全てのデータのスロットインデックスｎｓは同じ値となる。また、ＭＢＭＳにおいては、同一のＭＢＳＦＮエリアに属するユーザに対して電力レイヤでデータが重畳されて送信されるため、電力レイヤで重畳されたすべてのデータでＮＩＤＭＢＳＦＮは同じ値となる。即ち、上記数式２４を用いてスクランブルパターンを決定する現規格のスクランブル方式が、ＳＰＣを用いる際にも採用される場合、電力レイヤで重畳されるすべてのデータに適用されるスクランブルパターンは全て同一のものとなってしまう。
【０２４８】  ＭＢＭＳでは、同一のＭＢＳＦＮエリア内では全ユーザに対して同一のデータを送信していたため、Ｉｎｔｒａ−Ｃｅｌｌ干渉は発生していなかった。しかし、ＭＢＭＳにおいてＳＰＣを適用して電力レイヤでデータを重畳する場合、重畳したデータ間の干渉、即ちＩｎｔｒａ−ｃｅｌｌ干渉が発生し得る。ここで、ＭＢＭＳにおいて全てのデータに対して同じスクランブルパターンが適用される場合、上述した干渉の影響を軽減することができず、ＢＬＥＲ特性が悪化するケースがある。
【０２４９】  そこで、本実施形態では、ＭＢＭＳにおけるスクランブルパターン又はインタリーブパターンの生成のために、第１の実施形態と同様に、電力割当てに関する情報を用いる。これにより、重畳される複数のデータ同士で異なるスクランブルパターン又はインタリーブパターンが適用されることとなり、上記の干渉の影響を軽減することが可能となる。
【０２５０】  （３）ＭＢＭＳにおける送信処理  ＭＢＭＳにおける、ＳＰＣを用いて多重化された複数の電力レイヤの信号の送信処理は、上述した「＜＜１．ＳＰＣ＞＞」において説明した処理と基本的には同様である。以下、詳しく説明する。
【０２５１】  対象のユーザｕが接続するＭＢＳＦＮエリアのインデックスをｉで表し、当該エリアに対応する全ての基地局の合計送信アンテナの数をＮＴＸ，ｉで表す。当該送信アンテナの各々は、送信アンテナポートとも呼ばれ得る。ＭＢＳＦＮエリアｉから送信されるデータｎＭＢＭＳの送信信号は、以下のようにベクトル形式で表されることが可能である。
【０２５２】
【数２５】
2016181718.tif 000034
【０２５３】
【数２６】
2016181718.tif 000035
【０２５４】
【数２７】
2016181718.tif 000036
【０２５５】
【数２８】
2016181718.tif 000037
【０２５６】  上述した式において、ＮＳＳ，ｎＭＢＭＳは、送信データｎＭＢＭＳについての空間送信ストリーム数である。基本的には、ＮＳＳ，ｎＭＢＭＳは、ＮＴＸ，ｉ以下の正の整数である。ベクトルｘｉ，ｎＭＢＭＳは、送信データｎＭＢＭＳの空間ストリーム信号である。このベクトルの各要素は、基本的には、ＰＳＫ（Phase  Shift  Keying）又はＱＡＭ（Quadrature  Amplitude  Modulation）などのデジタル変調シンボルに相当する。行列Ｗｉ，ｎＭＢＭＳは、送信データｎＭＢＭＳについてのプリコーディング行列（Precoding  Matrix）である。この行列内の要素は、基本的には複素数であるが、実数であってもよい。
【０２５７】  行列Ｐｉ，ｎＭＢＭＳは、ＭＢＳＦＮエリアｉにおける送信データｎＭＢＭＳのための電力割当て係数行列である。この行列では、各要素が正の実数であることが望ましい。なお、この行列は、以下のような対角行列（即ち、対角成分以外が０である行列）であってもよい。
【０２５８】
【数２９】
2016181718.tif 000038
【０２５９】  空間ストリームについて適応的な電力割当てが行われない場合には、行列Ｐｉ，ｕの代わりに、スカラ値Ｐｉ，ｎＭＢＭＳが用いられてもよい。
【０２６０】  ＭＢＳＦＮエリアｉには、送信データｎＭＢＭＳのみではなく他の送信データ【数３０】
2016181718.tif 000039
を含む信号
【数３１】
2016181718.tif 000040
も、同一の無線リソースで送信される。これらの信号は、ＳＰＣを用いて多重化される。多重化後のＭＢＳＦＮエリアｉからの信号ｓｉは、以下のように表される。
【０２６１】
【数３２】
2016181718.tif 000041
【０２６２】  上述した式において、ＮＭＢＭＳは、ＭＢＳＦＮエリアｉにおいて多重化される送信データの総数である。ＭＢＳＦＮエリアｉ以外のエリアｊ（エリアｉにとっての干渉源となるエリア）でも、同様に送信信号ｓｊが生成される。ユーザ側では、このような信号が干渉として受信される。ユーザｕの受信信号ｒｕは、以下のように表されることが可能である。
【０２６３】
【数３３】
2016181718.tif 000042
【０２６４】
【数３４】
2016181718.tif 000043
【０２６５】
【数３５】
2016181718.tif 000044
【０２６６】  上述した式において、行列Ｈｕ，ｉは、ＭＢＳＦＮエリアｉ及びユーザｕについてのチャネル応答行列である。行列Ｈｕ，ｉの各要素は、基本的には複素数である。ベクトルｎｕは、ユーザｕの受信信号ｒｕに含まれる雑音である。例えば、当該雑音は、熱雑音、及び他のシステムからの干渉などを含む。雑音の平均電力は、以下のように表される。
【０２６７】
【数３６】
2016181718.tif 000045
【０２６８】  上述した式において、右辺の第１項は、ユーザｕの所望信号、第２項は、ユーザｕのサービングセルｉ内の干渉（セル内干渉（intra-cell  interference）、又は、マルチアクセス干渉などと呼ばれる）、第３項は、エリアｉ以外のエリアからの干渉（セル間干渉（inter-cell  interference）と呼ばれる）である。
【０２６９】    ＜６．２．技術的特徴＞  （１）送信側の技術的特徴  本実施形態に係る基地局１００（例えば、送信処理部１５１）は、ＳＰＣを用いて多重化される複数の送信データ（物理チャネルＰＭＣＨ）に、パターンの異なる信号変換処理を適用する。これにより、重畳される複数のデータ同士で異なる信号変換処理が適用されるので、干渉の影響を軽減することができる。
【０２７０】  基地局１００は、例えば電力割当てに関する情報を、スクランブルパターンの生成のためのパラメータに追加する。下記の表２に、スクランブルパターンの生成のために用いられ得るパラメータの一例を示した。
【０２７１】
【表８】
2016181718.tif 000046
【０２７２】  上記表８に示したＭＢＭＳに関する情報は、上記数式２４に示したように、ＭＢＭＳにおけるスクランブルパターンの生成のために用いられてきたパラメータである。なお、スロットインデックス（Slot  Index）は、上記表１におけるサブフレームインデックス（Subframe  Index）に相当する。上記表８に示すように、基地局１００は、ＳＰＣが非適用である場合、ＭＢＭＳに関する情報を用いてスクランブルパターンを生成する。一方で、基地局１００は、ＳＰＣが適用される場合、ＭＢＭＳに関する情報に加えて、電力割当てに関する情報の少なくともいずれかを、スクランブルパターンの生成のためのパラメータとして用いる。以下、電力割当てに関する情報の各々について詳しく説明する。
【０２７３】    ・電力レイヤのインデックス（Power  Layer  Index）  基地局１００は、ＭＢＭＳに関する情報（即ち、スロットインデックス及びＭＢＳＦＮのエリアＩＤ）に加えて、スクランブル対象の送信信号系列の電力レイヤのインデックスを用いてスクランブルパターンを生成してもよい。
【０２７４】  本実施形態における電力レイヤのインデックスは、図７を参照して上記説明したものと同様である。ただし、本実施形態においては、対象のＭＢＳＦＮエリアにおいて多重化される送信データの総数ＮＭＢＭＳが電力レイヤの数Ｎに相当し、送信データのインデックスｎＭＢＭＳが電力レイヤのインデックスに相当する。そして、例えば電力レイヤのインデックスｎＭＢＭＳ＝０〜ＮＭＢＭＳ−１に対して、インデックスが小さいほど高い電力レベルが割り当てらえる。もちろん、電力レイヤのインデックスと割り当てられる電力レベルとの関係は、これに限定されない。
【０２７５】  電力レイヤのインデックスを用いて生成されるスクランブルパターンの初期値ｃｉｎｉｔは、例えば次式で表現される。
【０２７６】
【数３７】
2016181718.tif 000047
【０２７７】    ・電力テーブルのインデックス（Power  Table  Index）  基地局１００は、ＭＢＭＳに関する情報（即ち、スロットインデックス及びＭＢＳＦＮのエリアＩＤ）に加えて、スクランブル対象の送信信号系列の電力テーブルのインデックスを用いてスクランブルパターンを生成してもよい。電力テーブルのインデックスの一例は、上記表２に示した通りである。電力テーブルのインデックスを用いて生成されるスクランブルパターンの初期値ｃｉｎｉｔは、例えば次式で表現される。
【０２７８】
【数３８】
2016181718.tif 000048
【０２７９】    ・電力割当ての割合（Power  Allocation  Rate）  基地局１００は、ＭＢＭＳに関する情報（即ち、スロットインデックス及びＭＢＳＦＮのエリアＩＤ）に加えて、対象の電力レイヤに割当てられる電力の値（例えば、電力割当ての割合）を示す情報を用いてスクランブルパターンを生成してもよい。電力割当ての割合の一例は、上記表３に示した通りである。電力割当ての割合を用いて生成されるスクランブルパターンの初期値ｃｉｎｉｔは、例えば次式で表現される。
【０２８０】
【数３９】
2016181718.tif 000049
【０２８１】  （補足）  上記では、電力割当てに関する情報を、スクランブルパターンの生成のためのパラメータに追加する例を説明したが、本技術はかかる例に限定されない。例えば、スクランブルパターンは、既存の通りスロットインデックス及びＭＢＳＦＮのエリアＩＤに基づいて生成され、スクランブル出力系列又はスクランブル入力系列に対して電力割当てに関す情報に基づく信号変換処理が行われてもよい。この場合であっても、重畳される複数のデータ同士で異なる信号変換処理が適用されるので、干渉の影響を軽減することができる。
【０２８２】  信号変換処理の一例として、インタリーバが挙げられる。例えば、上記説明した電力割当てに関する情報に基づいてインタリーブパターンが生成され、多重される信号にそれぞれ異なるインタリーブパターンが適用される。もちろん、電力割当てに関する情報は、スクランブルパターンの生成及び信号変換処理の双方のために用いられてもよい。
【０２８３】  パラメータの通知手段は、第１の実施形態において説明したものと同様の手段が用いられる。ただし、本実施形態では、制御情報は、ＭＢＭＳで使用される制御チャネルＰＭＣＨ（Physical  Multicast  Control  Channel）により通知され得る。
【０２８４】  （２）受信側の技術的特徴  端末装置２００（受信処理部２４３）は、第１の実施形態において説明したものと同様の特徴を有する。端末装置２００による受信処理については、図９等を参照して上記説明した処理と同様である。ただし、本実施形態に係る端末装置２００は、自身に無線リソースが割り当てられているか否かの確認処理（図９：ステップＳ３２３）及びＡＣＫ／ＮＡＣＫの返信処理（図９：ステップＳ３２７）を行わない点が、第１の実施形態と相違する。
【０２８５】  （３）まとめ  以上、本実施形態の技術的特徴について説明した。本実施形態によれば、マルチキャスト送信又はブロードキャスト送信されるデータが複数、同一時間リソース及び／又は同一周波数リソース上で、電力領域で多重される場合に、多重される信号間で適用される信号変換パターンを異なるものにすることができる。これにより、受信側での誤り率特性を改善することができる。
【０２８６】  ＜＜７．変形例＞＞  本変形例では、電力割当てに関する情報に応じたＣＲＣスクランブルが行われる。
【０２８７】    （１）ＣＲＣスクランブルに関する標準規格  例えば、ＰＤＣＣＨ（Physical  Downlink  Control  Channel）の場合、上記図２に示したＣＲＣ符号化ブロックにおいて、ＣＲＣスクランブルが行われる。ＣＲＣスクランブルの対象の系列は、次式で表される。
【０２８８】
【数４０】
2016181718.tif 000050
【０２８９】  ここで、ａ０，…，ａＡ−１は、送信対象のビットストリームであり、Ａはそのサイズである。当該ビットストリームを、以下ではペイロードビット系列とも称する。また、ｐ０，…，ｐＬ−１は、ペイロードビット系列に対応するパリティビット系列であり、Ｌはそのサイズである。以下では、当該パリティビット系列を、ＣＲＣビット系列とも称する。また、ｂ０，…，ｂＢ−１は、ペイロードビット系列とＣＲＣビット系列とを連結したビット系列であり、Ｂはそのサイズである。即ち、Ｂ＝Ａ＋Ｌである。
【０２９０】  ＣＲＣスクランブルに関する標準規格は、３ＧＰＰ  ＴＳ３６．２１２において定義されている。より詳しくは、ＣＲＣビット系列は、次式に示すようにＲＮＴＩを用いてスクランブルされる。
【０２９１】
【数４１】
2016181718.tif 000051
【０２９２】  ここで、ｋ＝Ａ，…，Ａ＋１５のｂｋは、ＣＲＣビット系列に相当する。また、ｘｒｎｔｉ，ｋ−ＡはＲＮＴＩのビット系列である。また、ｃｋは、スクランブル後のビット系列である。当該ビット系列は、図２に示したＣＲＣ符号化ブロックから出力され、ＦＥＣ符号化ブロックに入力される。そこで、以下では当該ビット系列をＦＥＣ符号化入力ビット系列とも称する。
【０２９３】    （２）電力割当てに関する情報に応じたＣＲＣスクランブル  本変形例では、ＦＥＣ符号化入力ビット系列を生成するために、上記数式に代えて次式が採用される。
【０２９４】
【数４２】
2016181718.tif 000052
【０２９５】  ここで、ｘＰｏｗｅｒＡｌｌｏｃ，ｋ−Ａは、電力割当てに関する情報に対応するビット系列である。電力割当てに関する情報に対応するビット系列の一例を、下記の表に示す。
【０２９６】
【表９】
2016181718.tif 000053
【０２９７】  「ＵＥ  Ｔｒａｎｓｍｉｔ  Ｐｏｗｅｒ  Ａｌｌｏｃ．」は、電力割当てに関する情報のインデックスである。「Ｐｏｗｅｒ  Ａｌｌｏｃ  ｍａｓｋ」は、電力割当てに関する情報に対応するビット系列である。「Ｐｏｗｅｒ  Ｌａｙｅｒ  ０  ｒａｔｉｏ」は、電力レイヤ０に割り当てられる電力である。「Ｐｏｗｅｒ  Ｌａｙｅｒ  １  ｒａｔｉｏ」は、電力レイヤ１に割り当てられる電力である。なお、「Ｐｏｗｅｒ  Ｌａｙｅｒ  ０  ｒａｔｉｏ」及び「Ｐｏｗｅｒ  Ｌａｙｅｒ  １  ｒａｔｉｏ」におけるＡ、Ｂ及びＣは、０より大きく１００より小さい任意の数値である。
【０２９８】  このようにして、ＣＲＣビット系列は、電力割当てに関する情報に応じてスクランブルされる。
【０２９９】  ＜＜８．応用例＞＞  本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０３００】  また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０３０１】    ＜８．１．基地局に関する応用例＞  （第１の応用例）  図２０は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３０２】  アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２０に示したように複数のアンテナ８１０を有し、複数のアンテナ８１０は、例えばｅＮＢ８００が使用する複数の周波数帯域にそれぞれ対応してもよい。なお、図２０にはｅＮＢ８００が複数のアンテナ８１０を有する例を示したが、ｅＮＢ８００は単一のアンテナ８１０を有してもよい。
【０３０３】  基地局装置８２０は、コントローラ８２１、メモリ８２２、ネットワークインタフェース８２３及び無線通信インタフェース８２５を備える。
【０３０４】  コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３０５】  ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３０６】  無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３０７】  無線通信インタフェース８２５は、図２０に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２０に示したように複数のＲＦ回路８２７を含み、複数のＲＦ回路８２７は、例えば複数のアンテナ素子にそれぞれ対応してもよい。なお、図２０には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３０８】  図２０に示したｅＮＢ８００において、図５を参照して説明した処理部１５０に含まれる１つ以上の構成要素（送信処理部１５１及び／又は通知部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３０９】  また、図２０に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０３１０】  （第２の応用例）  図２１は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３１１】  アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２１に示したように複数のアンテナ８４０を有し、複数のアンテナ８４０は、例えばｅＮＢ８３０が使用する複数の周波数帯域にそれぞれ対応してもよい。なお、図２１にはｅＮＢ８３０が複数のアンテナ８４０を有する例を示したが、ｅＮＢ８３０は単一のアンテナ８４０を有してもよい。
【０３１２】  基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２０を参照して説明したコントローラ８２１、メモリ８２２及びネットワークインタフェース８２３と同様のものである。
【０３１３】  無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２０を参照して説明したＢＢプロセッサ８２６と同様のものである。無線通信インタフェース８５５は、図２１に示したように複数のＢＢプロセッサ８５６を含み、複数のＢＢプロセッサ８５６は、例えばｅＮＢ８３０が使用する複数の周波数帯域にそれぞれ対応してもよい。なお、図２１には無線通信インタフェース８５５が複数のＢＢプロセッサ８５６を含む例を示したが、無線通信インタフェース８５５は単一のＢＢプロセッサ８５６を含んでもよい。
【０３１４】  接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３１５】  また、ＲＲＨ８６０は、接続インタフェース８６１及び無線通信インタフェース８６３を備える。
【０３１６】  接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３１７】  無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２１に示したように複数のＲＦ回路８６４を含み、複数のＲＦ回路８６４は、例えば複数のアンテナ素子にそれぞれ対応してもよい。なお、図２１には無線通信インタフェース８６３が複数のＲＦ回路８６４を含む例を示したが、無線通信インタフェース８６３は単一のＲＦ回路８６４を含んでもよい。
【０３１８】  図２１に示したｅＮＢ８３０において、図５を参照して説明した処理部１５０に含まれる１つ以上の構成要素（送信処理部１５１及び／又は通知部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３１９】  また、図２１に示したｅＮＢ８３０において、例えば、図５を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０３２０】    ＜８．２．端末装置に関する応用例＞  （第１の応用例）  図２２は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３２１】  プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３２２】  カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３２３】  無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２２に示したように複数のＢＢプロセッサ９１３及び複数のＲＦ回路９１４を含んでもよい。なお、図２２には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３２４】  さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３２５】  アンテナスイッチ９１５の各々は、無線通信インタフェース９１２に含まれる複数の回路（例えば、異なる無線通信方式のための回路）の間でアンテナ９１６の接続先を切り替える。
【０３２６】  アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２２に示したように複数のアンテナ９１６を有してもよい。なお、図２２にはスマートフォン９００が複数のアンテナ９１６を有する例を示したが、スマートフォン９００は単一のアンテナ９１６を有してもよい。
【０３２７】  さらに、スマートフォン９００は、無線通信方式ごとにアンテナ９１６を備えてもよい。その場合に、アンテナスイッチ９１５は、スマートフォン９００の構成から省略されてもよい。
【０３２８】  バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２２に示したスマートフォン９００の各ブロックへ電力を供給する。補助コントローラ９１９は、例えば、スリープモードにおいて、スマートフォン９００の必要最低限の機能を動作させる。
【０３２９】  図２２に示したスマートフォン９００において、図６を参照して説明した処理部２４０に含まれる１つ以上の構成要素（取得部２４１及び／又は受信処理部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３３０】  また、図２２に示したスマートフォン９００において、例えば、図６を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０３３１】  （第２の応用例）  図２３は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３３２】  プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３３３】  ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３３４】  コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３３５】  無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２３に示したように複数のＢＢプロセッサ９３４及び複数のＲＦ回路９３５を含んでもよい。なお、図２３には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３３６】  さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３３７】  アンテナスイッチ９３６の各々は、無線通信インタフェース９３３に含まれる複数の回路（例えば、異なる無線通信方式のための回路）の間でアンテナ９３７の接続先を切り替える。
【０３３８】  アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２３に示したように複数のアンテナ９３７を有してもよい。なお、図２３にはカーナビゲーション装置９２０が複数のアンテナ９３７を有する例を示したが、カーナビゲーション装置９２０は単一のアンテナ９３７を有してもよい。
【０３３９】  さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３４０】  バッテリー９３８は、図中に破線で部分的に示した給電ラインを介して、図２３に示したカーナビゲーション装置９２０の各ブロックへ電力を供給する。また、バッテリー９３８は、車両側から給電される電力を蓄積する。
【０３４１】  図２３に示したカーナビゲーション装置９２０において、図６を参照して説明した処理部２４０に含まれる１つ以上の構成要素（取得部２４１及び／又は受信処理部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３４２】  また、図２３に示したカーナビゲーション装置９２０において、例えば、図６を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０３４３】  また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、取得部２４１及び／又は受信処理部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３４４】  ＜＜９．まとめ＞＞  以上、図１〜図２３を参照して、本開示の一実施形態について詳細に説明した。
【０３４５】  上記説明したように、本実施形態に係る基地局１００は、電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する。電力割当てに関する情報に対応するスクランブラ及び／又はインタリーバが適用されることで、パターン生成に必要となるパラメータを通知するための制御信号を削減することができる。
【０３４６】  また、本実施形態に係る基地局１００は、電力割当てに関する情報及び送信信号系列の送受信に関する制御情報に対応するスクランブルパターンを用いたスクランブラ、又はインタリーブパターンを用いたインタリーバの少なくともいずれかを適用してもよい。これにより、誤り率特性の改善が期待される。
【０３４７】  これらにより、電力割当てを用いた多重化が行われる環境下で、より少ないシグナリングオーバヘッドでの干渉信号レプリカの生成が可能となる。
【０３４８】  以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０３４９】  例えば、基地局及び端末装置の通信について、ＬＴＥ又はＬＴＥ−Ａなどの既存のシステムの技術を利用する例も記載したが、当然ながら、本開示は係る例に限定されない。新たなシステムの技術が利用されてもよい。
【０３５０】  また、例えば、電力割当てを用いた多重化について、基地局が送信装置であり、端末装置が受信装置である例を説明したが、本開示は係る例に限定されない。送信装置及び受信装置は別の装置であってもよい。
【０３５１】  また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３５２】  また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、送信処理部１５１及び／又は通知部１５３など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、取得部２４１及び／又は受信処理部２４３など）の動作を含む方法も、本開示に係る技術に含まれる。
【０３５３】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０３５４】  なお、以下のような構成も本開示の技術的範囲に属する。（１）  電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、を備える装置。（２）  前記電力割当てに関する情報は、対象の電力レイヤのインデックスを含む、前記（１）に記載の装置。（３）  前記電力割当てに関する情報は、前記複数の電力レイヤの各々に割当てられる電力のパターンを示す情報を含む、前記（２）に記載の装置。（４）  前記電力割当てに関する情報は、対象の電力レイヤに割当てられる電力の値を示す情報を含む、前記（１）〜（３）のいずれか一項に記載の装置。（５）  前記電力割当てに関する情報は、対象のユーザのＣＱＩ（Channel  Quality  Indicator）を含む、前記（１）〜（４）のいずれか一項に記載の装置。（６）  前記送信処理部は、前記送信信号系列の送受信に関する制御情報に対応するスクランブルパターンを用いたスクランブラ、又はインタリーブパターンを用いたインタリーバの少なくともいずれかを適用する、前記（１）〜（５）のいずれか一項に記載の装置。（７）  前記送受信に関する制御情報は、前記送信信号系列の再送回数を示す情報を含む、前記（６）に記載の装置。（８）  前記送受信に関する制御情報は、トランスミッションモード（Transmission  Mode）を示す情報を含む、前記（６）又は（７）に記載の装置。（９）  前記送受信に関する制御情報は、ＤＣＩ（downlink  control  information）フォーマットを示す情報を含む、前記（６）〜（８）のいずれか一項に記載の装置。（１０）  前記送受信に関する制御情報は、ＭＣＳ（modulation  and  coding  scheme）を示す情報を含む、前記（６）〜（９）のいずれか一項に記載の装置。（１１）  電力割当てを用いて多重化される前記複数の電力レイヤの前記送信信号系列は、前記送受信に関する制御情報が同一のユーザへの送信信号系列である、前記（６）〜（１０）のいずれか一項に記載の装置。（１２）  前記送信処理部は、空間割当てを用いて多重化される複数の空間レイヤごとに、割当てられた空間レイヤにおいて電力割当てを用いて多重化される複数の電力レイヤの前記送信信号系列の各々を対象とする、前記（１）〜（１１）のいずれか一項に記載の装置。（１３）  前記装置は、前記複数の電力レイヤの前記送信信号系列の宛先のユーザへ前記電力割当てに関する情報を通知する通知部をさらに備える、前記（１）〜（１２）のいずれか一項に記載の装置。（１４）  前記通知部は、前記電力割当てに関する情報として、通知先のユーザへの前記送信信号系列の電力レイヤのインデックスを通知する、前記（１３）に記載の装置。（１５）  前記通知部は、前記電力割当てに関する情報として、前記複数の電力レイヤの総数を通知する、前記（１４）に記載の装置。（１６）  前記通知部は、前記電力割当てに関する情報として、電力レイヤのインデックスの増減方向と割り当てられる電力の増減方向との関係を示す情報を通知する、前記（１４）又は（１５）に記載の装置。（１７）  前記通知部は、前記電力割当てに関する情報として、割当��られる電力の増減方向の起点となるインデックスを通知する、前記（１４）〜（１６）のいずれか一項に記載の装置。（１８）  前記通知部は、前記電力割当てに関する情報として、前記複数の電力レイヤの各々に割当てられる電力のパターンを示す情報を通知する、前記（１４）〜（１７）のいずれか一項に記載の装置。（１９）  前記通知部は、前記電力割当てに関する情報として、前記複数の電力レイヤの各々に割当てられる電力の値を示す情報を通知する、前記（１３）〜（１８）のいずれか一項に記載の装置。（２０）  前記通知部は、前記電力割当てに関する情報として、前記複数の電力レイヤの前記送信信号系列の宛先の１以上の他のユーザのＣＱＩを通知する、前記（１３）〜（１９）のいずれか一項に記載の装置。（２１）  前記通知部は、ＲＲＣ（Radio  Resource  Control）シグナリング又はＲＲＣメッセージの一部として通知する、前記（１３）〜（２０）のいずれか一項に記載の装置。（２２）  前記通知部は、システム情報（System  Information）の一部として通知する、前記（１３）〜（２１）のいずれか一項に記載の装置。（２３）  前記通知部は、ＤＣＩの一部として通知する、前記（１３）〜（２２）のいずれか一項に記載の装置。（２４）  前記通知部は、前記複数の電力レイヤの前記送信信号系列の各々の送受信に関する制御情報を通知する、前記（１３）〜（２３）のいずれか一項に記載の装置。（２５）  電力割当てを用いて多重化される複数の電力レイヤの電力割当てに関する情報を取得する取得部と、  前記取得部により取得された前記電力割当てに関する情報に対応するスクランブルパターンを用いたデスクランブラ、又はインタリーブパターンを用いたデインタリーバの少なくともいずれかを用いて干渉除去を行う受信処理部と、を備える装置。（２６）  前記取得部は、前記複数の電力レイヤにおいて送信される送信信号系列の送受信に関する制御情報を取得し、  前記受信処理部は、前記送受信に関する制御情報に対応するスクランブルパターンを用いたデスクランブラ、又はインタリーブパターンを用いたデインタリーバの少なくともいずれかを用いる、前記（２５）に記載の装置。（２７）  前記取得部は、ＲＲＣシグナリング若しくはＲＲＣメッセージ、システム情報又はＤＣＩの少なくともいずれかから取得する、前記（２５）又は（２６）に記載の装置。（２８）  電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかをプロセッサにより適用すること、を含む方法。（２９）  前記電力割当てに関する情報は、対象の電力レイヤのインデックスを含む、前記（２８）に記載の方法。（３０）  前記電力割当てに関する情報は、前記複数の電力レイヤの各々に割当てられる電力のパターンを示す情報を含む、前記（２９）に記載の方法。（３１）  前記電力割当てに関する情報は、対象の電力レイヤに割当てられる電力の値を示す情報を含む、前記（２８）〜（３０）のいずれか一項に記載の方法。（３２）  前記電力割当てに関する情報は、対象のユーザのＣＱＩ（Channel  Quality  Indicator）を含む、前記（２８）〜（３１）のいずれか一項に記載の方法。（３３）  前記送信信号系列の送受信に関する制御情報に対応するスクランブルパターンを用いたスクランブラ、又はインタリーブパターンを用いたインタリーバの少なくともいずれかを適用すること、を含む、前記（２８）〜（３２）のいずれか一項に記載の方法。（３４）  前記送受信に関する制御情報は、前記送信信号系列の再送回数を示す情報を含む、前記（３３）に記載の方法。（３５）  前記送受信に関する制御情報は、トランスミッションモード（Transmission  Mode）を示す情報を含む、前記（３３）又は（３４）に記載の方法。（３６）  前記送受信に関する制御情報は、ＤＣＩ（downlink  control  information）フォーマットを示す情報を含む、前記（３３）〜（３５）のいずれか一項に記載の方法。（３７）  前記送受信に関する制御情報は、ＭＣＳ（modulation  and  coding  scheme）を示す情報を含む、前記（３３）〜（３６）のいずれか一項に記載の方法。（３８）  電力割当てを用いて多重化される前記複数の電力レイヤの前記送信信号系列は、前記送受信に関する制御情報が同一のユーザへの送信信号系列である、前記（３３）〜（３７）のいずれか一項に記載の方法。（３９）  空間割当てを用いて多重化される複数の空間レイヤごとに、割当てられた空間レイヤにおいて電力割当てを用いて多重化される複数の電力レイヤの前記送信信号系列の各々を対象とすることを含む、前記（２８）〜（３８）のいずれか一項に記載の方法。（４０）  前記複数の電力レイヤの前記送信信号系列の宛先のユーザへ前記電力割当てに関する情報を通知することを含む、前記（２８）〜（３９）のいずれか一項に記載の方法。（４１）  前記電力割当てに関する情報として、通知先のユーザへの前記送信信号系列の電力レイヤのインデックスを通知することを含む、前記（４０）に記載の方法。（４２）  前記電力割当てに関する情報として、前記複数の電力レイヤの総数を通知することを含む、前記（４１）に記載の方法。（４３）  前記電力割当てに関する情報として、電力レイヤのインデックスの増減方向と割り当てられる電力の増減方向との関係を示す情報を通知することを含む、前記（４１）又は（４２）に記載の方法。（４４）  前記電力割当てに関する情報として、割当てられる電力の増減方向の起点となるインデックスを通知することを含む、前記（４１）〜（４３）のいずれか一項に記載の方法。（４５）  前記電力割当てに関する情報として、前記複数の電力レイヤの各々に割当てられる電力のパターンを示す情報を通知することを含む、前記（４１）〜（４４）のいずれか一項に記載の方法。（４６）  前記電力割当てに関する情報として、前記複数の電力レイヤの各々に割当てられる電力の値を示す情報を通知することを含む、前記（４０）〜（４５）のいずれか一項に記載の方法。（４７）  前記電力割当てに関する情報として、前記複数の電力レイヤの前記送信信号系列の宛先の１以上の他のユーザのＣＱＩを通知することを含む、前記（４０）〜（４６）のいずれか一項に記載の方法。（４８）  ＲＲＣ（Radio  Resource  Control）シグナリング又はＲＲＣメッセージの一部として通知することを含む、前記（４０）〜（４７）のいずれか一項に記載の方法。（４９）  システム情報（System  Information）の一部として通知することを含む、前記（４０）〜（４８）のいずれか一項に記載の方法。（５０）  ＤＣＩの一部として通知することを含む、前記（４０）〜（４９）のいずれか一項に記載の方法。（５１）  前記複数の電力レイヤの前記送信信号系列の各々の送受信に関する制御情報を通知することを含む、前記（４０）〜（５０）のいずれか一項に記載の方法。（５２）  電力割当てを用いて多重化される複数の電力レイヤの電力割当てに関する情報を取得することと、  取得された前記電力割当てに関する情報に対応するスクランブルパターンを用いたデスクランブラ、又はインタリーブパターンを用いたデインタリーバの少なくともいずれかを用いてプロセッサにより干渉除去を行うことと、を含む方法。（５３）  前記複数の電力レイヤにおいて送信される送信信号系列の送受信に関する制御情報を取得することと、  前記送受信に関する制御情報に対応するスクランブルパターンを用いたデスクランブラ、又はインタリーブパターンを用いたデインタリーバの少なくともいずれかを用いることと、を含む、前記（５２）に記載の方法。（５４）  ＲＲＣシグナリング若しくはＲＲＣメッセージ、システム情報又はＤＣＩの少なくともいずれかから取得することを含む、前記（５２）又は（５３）に記載の方法。（５５）  コンピュータを、  電力割当てを用いて多重化される複数の電力レイヤの送信信号系列の各々を対象として、電力割当てに関する情報に対応するスクランブルパターンを用いたスクランブラ、又はインタリーブパターンを用いたインタリーバの少なくともいずれかを適用する送信処理部、として機能させるためのプログラム。（５６）  コンピュータを、  電力割当てを用いて多重化される複数の電力レイヤの電力割当てに関する情報を取得する取得部と、  前記取得部により取得された前記電力割当てに関する情報に対応するスクランブルパターンを用いたデスクランブラ、又はインタリーブパターンを用いたデインタリーバの少なくともいずれかを用いて干渉除去を行う受信処理部と、として機能させるためのプログラム。
【符号の説明】
【０３５５】  １        システム  １００    基地局  １０１    セル  １１０    アンテナ部  １２０    無線通信部  １３０    ネットワーク通信部  １４０    記憶部  １５０    処理部  １５１    送信処理部  １５３    通知部  ２００    端末装置  ２１０    アンテナ部  ２２０    無線通信部  ２３０    記憶部  ２４０    処理部  ２４１    取得部  ２４３    受信処理部
【図１】
2016181718.tif 000054
【図２】
2016181718.tif 000055
【図３】
2016181718.tif 000056
【図４】
2016181718.tif 000057
【図５】
2016181718.tif 000058
【図６】
2016181718.tif 000059
【図７】
2016181718.tif 000060
【図８】
2016181718.tif 000061
【図９】
2016181718.tif 000062
【図１０】
2016181718.tif 000063
【図１１】
2016181718.tif 000064
【図１２】
2016181718.tif 000065
【図１３】
2016181718.tif 000066
【図１４】
2016181718.tif 000067
【図１５】
2016181718.tif 000068
【図１６】
2016181718.tif 000069
【図１７】
2016181718.tif 000070
【図１８】
2016181718.tif 000071
【図１９】
2016181718.tif 000072
【図２０】
2016181718.tif 000073
【図２１】
2016181718.tif 000074
【図２２】
2016181718.tif 000075
【図２３】
2016181718.tif 000076
【国際調査報告】
2016181718.tif 000077
2016181718.tif 000078
2016181718.tif 000079